(57)【要約】  本開示は、重複伝送活性化／非活性化方法、基地局、端末および装置を提供する。当該方法において、第１基地局で重複伝送が許容されるベアラと、前記第１基地局の重複伝送活性化／非活性化ＭＡＣ  ＣＥの所定フィールドのビットとの対応関係を特定するステップと、第１基地局で重複伝送が許容されるベアラの重複伝送の活性化／非活性化が必要となると、前記第１基地局が、重複伝送活性化／非活性化ＭＡＣ  ＣＥの所定フィールドのうち、前記ベアラに対応するビットに対し充填設定を行い、前記重複伝送活性化／非活性化ＭＡＣ  ＣＥを生成して前記端末に送信するステップと、を含む。【選択図】  図４
2020532228.tif 000002
【特許請求の範囲】
【請求項１】
端末に接続された第１基地局に応用される重複伝送活性化／非活性化方法において、
第１基地局で重複伝送が許容されるベアラと、重複伝送が許容されるベアラに対し重複伝送活性化／非活性化指示を行うための所定フィールドであって、前記第１基地局の重複伝送活性化／非活性化メディアアクセス制御層制御メッセージ（ＭＡＣ  ＣＥ）の所定フィールドのビットとの対応関係を特定するステップと、
第１基地局で重複伝送が許容されるベアラの重複伝送の活性化／非活性化が必要となると、前記第１基地局が、重複伝送活性化／非活性化ＭＡＣ  ＣＥの所定フィールドのうち、前記ベアラに対応するビットに対し充填設定を行い、前記重複伝送活性化／非活性化ＭＡＣ  ＣＥを生成して前記端末に送信するステップと、
を含む、重複伝送活性化／非活性化方法。
【請求項２】
前記の第１基地局で重複伝送が許容されるベアラと、前記第１基地局の重複伝送活性化／非活性化ＭＡＣ  ＣＥの所定フィールドのビットとの対応関係を特定するステップは、
前記第１基地局が、第１基地局の重複伝送活性化／非活性化ＭＡＣ  ＣＥの所定フィールドのビットと、前記第１基地局で重複伝送が許容されるベアラとの対応関係を設定するステップと、
前記第１基地局が、設定した対応関係を前記端末に送信するステップと、
を含む、請求項１に記載の方法。
【請求項３】
前記第１基地局が、端末に接続された他基地局の重複伝送活性化／非活性化ＭＡＣ  ＣＥの所定フィールドのビットと、前記他基地局で重複伝送が許容されるベアラとの対応関係を設定するステップと、
前記第１基地局が、当該設定した対応関係を端末に送信するステップ、および／または、前記第１基地局が、当該設定した対応関係を対応基地局に送信するステップと、
をさらに含む請求項１または２に記載の方法。
【請求項４】
第１基地局の重複伝送活性化／非活性化ＭＡＣ  ＣＥの所定フィールドと、前記端末に接続された他基地局の重複伝送活性化／非活性化ＭＡＣ  ＣＥの所定フィールドとは、同じ構造を有し、
前記同じ構造を有する重複伝送活性化／非活性化ＭＡＣ  ＣＥの所定フィールドのビットは、前記端末で重複伝送が許容されるすべてのベアラとは対応関係が存在する、請求項１に記載の方法。
【請求項５】
第１基地局の重複伝送活性化／非活性化ＭＡＣ  ＣＥの所定フィールドと、前記端末に接続された他基地局の重複伝送活性化／非活性化ＭＡＣ  ＣＥの所定フィールドとは、互いに独立した構造を有し、
前記第１基地局の重複伝送活性化／非活性化ＭＡＣ  ＣＥの所定フィールドのビットは、前記第１基地局で重複伝送が許容されるベアラとは対応関係が存在し、
前記他基地局の重複伝送活性化／非活性化ＭＡＣ  ＣＥの所定フィールドのビットは、前記他基地局で重複伝送が許容されるベアラとは対応関係が存在する、請求項１に記載の方法。
【請求項６】
第１基地局の重複伝送活性化／非活性化ＭＡＣ  ＣＥの所定フィールドと、前記端末に接続された他基地局の重複伝送活性化／非活性化ＭＡＣ  ＣＥの所定フィールドとは、互いに独立した構造を有し、
前記第１基地局の重複伝送活性化／非活性化ＭＡＣ  ＣＥの所定フィールドのビットは、第１基地局のみで重複伝送が許容されるベアラとは対応関係が存在し、
前記第１基地局の重複伝送活性化／非活性化ＭＡＣ  ＣＥの所定フィールドのビットは、第１基地局で重複伝送が許容される特定ベアラとは対応関係が存在し、
ここで、前記特定ベアラは、二重接続方式または多重接続方式で重複伝送を行い、かつ前記特定ベアラのマスタ基地局が前記第１基地局である、請求項１に記載の方法。
【請求項７】
複数の基地局に接続された端末に応用される重複伝送活性化／非活性化方法において、
第１基地局で重複伝送が許容されるベアラと、重複伝送が許容されるベアラに対し重複伝送活性化／非活性化指示を行うための所定フィールドであって、前記第１基地局の重複伝送活性化／非活性化ＭＡＣ  ＣＥの所定フィールドのビットとの対応関係を特定するステップと、
第１基地局から送信された重複伝送活性化／非活性化ＭＡＣ  ＣＥを受信すると、前記対応関係に基づき、前記第１基地局の重複伝送活性化／非活性化ＭＡＣ  ＣＥの所定フィールドのうち、第１基地局で重複伝送が許容されるベアラに対応するビットを解析するステップと、
前記ビットの指示に基づき、対応ベアラの重複伝送を活性化／非活性化すると特定するステップと、
を含む、重複伝送活性化／非活性化方法。
【請求項８】
前記の第１基地局で重複伝送が許容されるベアラと、前記第１基地局の重複伝送活性化／非活性化ＭＡＣ  ＣＥの所定フィールドのビットとの対応関係を特定するステップは、
第１基地局によって設定された対応関係であって、第１基地局の重複伝送活性化／非活性化ＭＡＣ  ＣＥの所定フィールドのビットと、前記第１基地局で重複伝送が許容されるベアラとの対応関係を受信するステップを含む、請求項７に記載の方法。
【請求項９】
第１基地局によって設定された対応関係であって、端末に接続された他基地局の重複伝送活性化／非活性化ＭＡＣ  ＣＥの所定フィールドのビットと、前記他基地局で重複伝送が許容されるベアラとの対応関係を受信するステップをさらに含む請求項７または８に記載の方法。
【請求項１０】
他基地局から送信された重複伝送活性化／非活性化ＭＡＣ  ＣＥを受信すると、前記対応関係に基づき、前記他基地局の重複伝送活性化／非活性化ＭＡＣ  ＣＥの所定フィールドのうち、前記他基地局で重複伝送が許容されるベアラに対応するビットを解析するステップと、
前記ビットの指示に基づき、対応ベアラの重複伝送を活性化／非活性化すると特定するステップと、
をさらに含む、請求項９に記載の方法。
【請求項１１】
第１基地局の重複伝送活性化／非活性化ＭＡＣ  ＣＥの所定フィールドと、前記端末に接続された他基地局の重複伝送活性化／非活性化ＭＡＣ  ＣＥの所定フィールドとは、同じ構造を有し、
前記同じ構造を有する重複伝送活性化／非活性化ＭＡＣ  ＣＥの所定フィールドのビットは、前記端末で重複伝送が許容されるすべてのベアラとは対応関係が存在する、請求項７に記載の方法。
【請求項１２】
第１基地局の重複伝送活性化／非活性化ＭＡＣ  ＣＥの所定フィールドと、前記端末に接続された他基地局の重複伝送活性化／非活性化ＭＡＣ  ＣＥの所定フィールドとは、互いに独立した構造を有し、
前記第１基地局の重複伝送活性化／非活性化ＭＡＣ  ＣＥの所定フィールドのビットは、前記第１基地局で重複伝送が許容されるベアラとは対応関係が存在し、
前記他基地局の重複伝送活性化／非活性化ＭＡＣ  ＣＥの所定フィールドのビットは、前記他基地局で重複伝送が許容されるベアラとは対応関係が存在する、請求項７に記載の方法。
【請求項１３】
第１基地局の重複伝送活性化／非活性化ＭＡＣ  ＣＥの所定フィールドと、前記端末に接続された他基地局の重複伝送活性化／非活性化ＭＡＣ  ＣＥの所定フィールドとは、互いに独立した構造を有し、
前記第１基地局の重複伝送活性化／非活性化ＭＡＣ  ＣＥの所定フィールドのビットは、第１基地局のみで重複伝送が許容されるベアラとは対応関係が存在し、
前記第１基地局の重複伝送活性化／非活性化ＭＡＣ  ＣＥの所定フィールドのビットは、第１基地局で重複伝送が許容される特定ベアラとは対応関係が存在し、
ここで、前記特定ベアラは、二重接続方式または多重接続方式で重複伝送を行い、かつ前記特定ベアラのマスタ基地局が前記第１基地局である、請求項７に記載の方法。
【請求項１４】
トランシーバと、メモリと、プロセッサと、前記メモリに記憶されて前記プロセッサで実行可能なコンピュータプログラムを含む基地局において、
前記プロセッサは、メモリからプログラムを読み取ることによって、
第１基地局で重複伝送が許容されるベアラと、重複伝送が許容されるベアラに対し重複伝送活性化／非活性化指示を行うための所定フィールドであって、前記第１基地局の重複伝送活性化／非活性化ＭＡＣ  ＣＥの所定フィールドのビットとの対応関係を特定する手順と、
第１基地局で重複伝送が許容されるベアラの重複伝送の活性化／非活性化が必要となると、前記第１基地局が、重複伝送活性化／非活性化ＭＡＣ  ＣＥの所定フィールドのうち、前記ベアラに対応するビットに対し充填設定を行い、前記重複伝送活性化／非活性化ＭＡＣ  ＣＥを生成する手順と、
を実行することに用いられ、
前記トランシーバは、
生成された前記重複伝送活性化／非活性化ＭＡＣ  ＣＥを端末に送信することに用いられる、基地局。
【請求項１５】
前記プロセッサは、さらに、
第１基地局の重複伝送活性化／非活性化ＭＡＣ  ＣＥの所定フィールドのビットと、前記第１基地局で重複伝送が許容されるベアラとの対応関係を設定する手順を実行することに用いられ、
前記トランシーバは、さらに、
設定された対応関係を前記端末に送信することに用いられる、請求項１４に記載の基地局。
【請求項１６】
前記プロセッサは、さらに、
端末に接続された他基地局の重複伝送活性化／非活性化ＭＡＣ  ＣＥの所定フィールドのビットと、前記他基地局で重複伝送が許容されるベアラとの対応関係を設定する手順を実行することに用いられ、
前記トランシーバは、さらに、
当該設定された対応関係を端末に送信し、および／または、当該設定された対応関係を対応基地局に送信することに用いられる請求項１４または１５に記載の基地局。
【請求項１７】
第１基地局の重複伝送活性化／非活性化ＭＡＣ  ＣＥの所定フィールドと、前記端末に接続された他基地局の重複伝送活性化／非活性化ＭＡＣ  ＣＥの所定フィールドとは、同じ構造を有し、
前記同じ構造を有する重複伝送活性化／非活性化ＭＡＣ  ＣＥの所定フィールドのビットは、前記端末で重複伝送が許容されるすべてのベアラとは対応関係が存在する、請求項１４に記載の基地局。
【請求項１８】
第１基地局の重複伝送活性化／非活性化ＭＡＣ  ＣＥの所定フィールドと、前記端末に接続された他基地局の重複伝送活性化／非活性化ＭＡＣ  ＣＥの所定フィールドとは、互いに独立した構造を有し、
前記第１基地局の重複伝送活性化／非活性化ＭＡＣ  ＣＥの所定フィールドのビットは、前記第１基地局で重複伝送が許容されるベアラとは対応関係が存在し、
前記他基地局の重複伝送活性化／非活性化ＭＡＣ  ＣＥの所定フィールドのビットは、前記他基地局で重複伝送が許容されるベアラとは対応関係が存在する、請求項１４に記載の基地局。
【請求項１９】
第１基地局の重複伝送活性化／非活性化ＭＡＣ  ＣＥの所定フィールドと、前記端末に接続された他基地局の重複伝送活性化／非活性化ＭＡＣ  ＣＥの所定フィールドとは、互いに独立した構造を有し、
前記第１基地局の重複伝送活性化／非活性化ＭＡＣ  ＣＥの所定フィールドのビットは、第１基地局のみで重複伝送が許容されるベアラとは対応関係が存在し、
前記第１基地局の重複伝送活性化／非活性化ＭＡＣ  ＣＥの所定フィールドのビットは、第１基地局で重複伝送が許容される特定ベアラとは対応関係が存在し、
ここで、前記特定ベアラは、二重接続方式または多重接続方式で重複伝送を行い、かつ前記特定ベアラのマスタ基地局が前記第１基地局である、請求項１４に記載の基地局。
【請求項２０】
コンピュータプログラムが記憶されているコンピュータ読み取り可能な記憶媒体であって、
前記コンピュータプログラムがプロセッサによって実行されると、請求項１〜６のいずれか一項に記載の重複伝送活性化／非活性化方法のステップが実現される、コンピュータ読み取り可能な記憶媒体。
【請求項２１】
端末に接続された第１基地局に応用される重複伝送活性化／非活性化装置において、
第１基地局で重複伝送が許容されるベアラと、重複伝送が許容されるベアラに対し重複伝送活性化／非活性化指示を行うための所定フィールドであって、前記第１基地局の重複伝送活性化／非活性化ＭＡＣ  ＣＥの所定フィールドのビットとの対応関係を特定するための第１関係特定モジュールと、
第１基地局で重複伝送が許容されるベアラの重複伝送の活性化／非活性化が必要となると、前記第１基地局が、重複伝送活性化／非活性化ＭＡＣ  ＣＥの所定フィールドのうち、前記ベアラに対応するビットに対し充填設定を行い、前記重複伝送活性化／非活性化ＭＡＣ  ＣＥを生成して前記端末に送信するための生成送信モジュールと、
を含む、重複伝送活性化／非活性化装置。
【請求項２２】
トランシーバと、メモリと、プロセッサと、前記メモリに記憶されて前記プロセッサで実行可能なコンピュータプログラムを含む端末において、
前記プロセッサは、メモリからプログラムを読み取ることによって、
第１基地局で重複伝送が許容されるベアラと、重複伝送が許容されるベアラに対し重複伝送活性化／非活性化指示を行うための所定フィールドであって、前記第１基地局の重複伝送活性化／非活性化ＭＡＣ  ＣＥの所定フィールドのビットとの対応関係を特定する手順を実行することに用いられ、
前記トランシーバは、
第１基地局から送信された重複伝送活性化／非活性化ＭＡＣ  ＣＥを受信することに用いられ、
前記プロセッサは、さらに、
前記対応関係に基づき、前記第１基地局の重複伝送活性化／非活性化ＭＡＣ  ＣＥの所定フィールドのうち、第１基地局で重複伝送が許容されるベアラに対応するビットを解析する手順と、
前記ビットの指示に基づき、対応ベアラの重複伝送を活性化／非活性化すると特定する手順と、
を実行することに用いられる、端末。
【請求項２３】
前記トランシーバは、さらに、
第１基地局によって設定された対応関係であって、第１基地局の重複伝送活性化／非活性化ＭＡＣ  ＣＥの所定フィールドのビットと、前記第１基地局で重複伝送が許容されるベアラとの対応関係を受信することに用いられる、請求項２２に記載の端末。
【請求項２４】
前記トランシーバは、さらに、
第１基地局によって設定された対応関係であって、端末に接続された他基地局の重複伝送活性化／非活性化ＭＡＣ  ＣＥの所定フィールドのビットと、前記他基地局で重複伝送が許容されるベアラとの対応関係を受信することに用いられる請求項２２または２３に記載の端末。
【請求項２５】
前記トランシーバは、さらに、
他基地局から送信された重複伝送活性化／非活性化ＭＡＣ  ＣＥを受信することに用いられ、
前記プロセッサは、さらに、
前記対応関係に基づき、前記他基地局の重複伝送活性化／非活性化ＭＡＣ  ＣＥの所定フィールドのうち、前記他基地局で重複伝送が許容されるベアラに対応するビットを解析する手順と、
前記ビットの指示に基づき、対応ベアラの重複伝送を活性化／非活性化すると特定する手順と、
を実行することに用いられる、請求項２４に記載の端末。
【請求項２６】
第１基地局の重複伝送活性化／非活性化ＭＡＣ  ＣＥの所定フィールドと、前記端末に接続された他基地局の重複伝送活性化／非活性化ＭＡＣ  ＣＥの所定フィールドとは、同じ構造を有し、
前記同じ構造を有する重複伝送活性化／非活性化ＭＡＣ  ＣＥの所定フィールドのビットは、前記端末で重複伝送が許容されるすべてのベアラとは対応関係が存在する、請求項２２に記載の端末。
【請求項２７】
第１基地局の重複伝送活性化／非活性化ＭＡＣ  ＣＥの所定フィールドと、前記端末に接続された他基地局の重複伝送活性化／非活性化ＭＡＣ  ＣＥの所定フィールドとは、互いに独立した構造を有し、
前記第１基地局の重複伝送活性化／非活性化ＭＡＣ  ＣＥの所定フィールドのビットは、前記第１基地局で重複伝送が許容されるベアラとは対応関係が存在し、
前記他基地局の重複伝送活性化／非活性化ＭＡＣ  ＣＥの所定フィールドのビットは、前記他基地局で重複伝送が許容されるベアラとは対応関係が存在する、請求項２２に記載の端末。
【請求項２８】
第１基地局の重複伝送活性化／非活性化ＭＡＣ  ＣＥの所定フィールドと、前記端末に接続された他基地局の重複伝送活性化／非活性化ＭＡＣ  ＣＥの所定フィールドとは、互いに独立した構造を有し、
前記第１基地局の重複伝送活性化／非活性化ＭＡＣ  ＣＥの所定フィールドのビットは、第１基地局のみで重複伝送が許容されるベアラとは対応関係が存在し、
前記第１基地局の重複伝送活性化／非活性化ＭＡＣ  ＣＥの所定フィールドのビットは、第１基地局で重複伝送が許容される特定ベアラとは対応関係が存在し、
ここで、前記特定ベアラは、二重接続方式または多重接続方式で重複伝送を行い、かつ前記特定ベアラのマスタ基地局が前記第１基地局である、請求項２２に記載の端末。
【請求項２９】
コンピュータプログラムが記憶されているコンピュータ読み取り可能な記憶媒体であって、
前記コンピュータプログラムがプロセッサによって実行されると、請求項７〜１３のいずれか一項に記載の重複伝送活性化／非活性化方法のステップが実現される、コンピュータ読み取り可能な記憶媒体。
【請求項３０】
複数の基地局に接続された端末に応用される重複伝送活性化／非活性化装置において、
第１基地局で重複伝送が許容されるベアラと、重複伝送が許容されるベアラに対し重複伝送活性化／非活性化指示を行うための所定フィールドであって、前記第１基地局の重複伝送活性化／非活性化ＭＡＣ  ＣＥの所定フィールドのビットとの対応関係を特定するための第２関係特定モジュールと、
第１基地局から送信された重複伝送活性化／非活性化ＭＡＣ  ＣＥを受信すると、前記対応関係に基づき、前記第１基地局の重複伝送活性化／非活性化ＭＡＣ  ＣＥの所定フィールドのうち、第１基地局で重複伝送が許容されるベアラに対応するビットを解析するための第１解析モジュールと、
前記ビットの指示に基づき、対応ベアラの重複伝送を活性化／非活性化すると特定するための第１処理モジュールと、
を含む、重複伝送活性化／非活性化装置。
【発明の詳細な説明】
【技術分野】
【０００１】
本願は、２０１７年８月２４日に中国特許庁に提出された中国特許出願２０１７１０７３７５７８．９の優先権を主張し、その全ての内容が援用によりここに取り込まれる。
本開示は、通信技術分野に係り、特に重複伝送活性化／非活性化方法、基地局、端末および装置に係る。
【背景技術】
【０００２】
５Ｇ  ＮＲ（Ｎｅｗ  Ｒａｄｉｏ）システムでは、主に、ｅＭＢＢ（ｅｎｈａｎｃｅｄ  Ｍｏｂｉｌｅ  Ｂｒｏａｄｂａｎｄ）、ｍＭＴＣ（ｍａｓｓｉｖｅ  Ｍａｃｈｉｎｅ  Ｔｙｐｅ  Ｃｏｍｍｕｎｉｃａｔｉｏｎｓ）およびＵＲＬＬＣ（Ｕｌｔｒａ−Ｒｅｌｉａｂｌｅ  ａｎｄ  Ｌｏｗ  Ｌａｔｅｎｃｙ  Ｃｏｍｍｕｎｉｃａｔｉｏｎｓ）との３種類のトラフィックがサポートされる。
【０００３】
ＵＲＬＬＣに関し、遅延および信頼性対し高い要件が求められているが、３ＧＰＰ（登録商標）による解決策の一つとして重複伝送メカニズムが導入されており、すなわち複数のパスによって同じＰＤＣＰ（Ｐａｃｋｅｔ  Ｄａｔａ  Ｃｏｎｖｅｒｇｅｎｃｅ  Ｐｒｏｔｏｃｏｌ）層ＰＤＵ（Ｐｒｏｔｏｃｏｌ  Ｄａｔａ  Ｕｎｉｔ）を伝送し、マルチパス伝送ゲインによって伝送の信頼性を高めるとともに、伝送遅延を低下させる。ＰＤＣＰ重複伝送は、導入されると、ＵＲＬＬＣのみならず、ほかのトラフィックにも適用する。
【０００４】
ＣＡ（Ｃａｒｒｉｅｒ  ａｇｇｒｅｇａｔｉｏｎ）、ＤＣ（Ｄｕａｌ  ｃｏｎｎｅｃｔｉｖｉｔｙ）での重複伝送モデルは、それぞれ図１、図２に示されている。ＰＤＣＰ層の１つの無線ベアラ（１つのＰＤＣＰエンティティに対応する）は、ＲＬＣ（Ｒａｄｉｏ  Ｌｉｎｋ  Ｃｏｎｔｒｏｌ）層で複数の論理チャネル（各論理チャネルが１つのＲＬＣエンティティに対応する）によってそれぞれ伝送される。図１に示すように、ＣＡモデルの場合、１つのＭＡＣエンティティは、重複伝送される無線ベアラに対応する複数の論理チャネルをＭＡＣ層で処理し、異なるＲＬＣ論理チャネルからのデータを同一搬送波の異なる無線リソースまたは異なる搬送波にそれぞれマッピングして伝送する。図２に示すように、ＤＣモデルの場合、重複ベアラ（ｄｕｐｌｉｃａｔｉｏｎ  ＲＢ）に対応する複数の論理チャネルが異なるＭＡＣエンティティにそれぞれマッピングされるため、自ずと複数の異なるＲＬＣ論理チャネルからのデータを異なる無線リソースまたは搬送波にそれぞれマッピングして搬送する。
【０００５】
現在、重複伝送メカニズムは、ネットワーク側によって設定され、すなわちネットワーク側によって、重複伝送が可能なベアラ（ＲＢ）を設定し、具体的なＲＢ（１つのＲＢ身元に対応する）に対し、対応する各層の設定（たとえばＰＤＣＰエンティティ、ＲＬＣエンティティなど）を行う。それから、ネットワーク側によって、ＭＡＣ層シグナリングＭＡＣ  ＣＥ（重複伝送活性化／非活性化ＭＡＣ  ＣＥ）によって重複伝送の活性化／非活性化を行う。ネットワークデプロイメントでは、ＤＣとＣＡの設定が通常同時に存在するが、１つの端末のベアラについて、図３に示す複数種類の重複伝送ベアラ設定が存在する可能性がある。ＤＲＢ１、ＤＲＢ４は、それぞれＭＣＧ（Ｍａｓｔｅｒ  Ｃｅｌｌ  Ｇｒｏｕｐ）、ＳＣＧ（Ｓｅｃｏｎｄａｒｙ  Ｃｅｌｌ  Ｇｒｏｕｐ）でのＣＡ重複伝送であり、ＤＲＢ２、ＤＲＢ３は、それぞれＭＣＧ、ＳＣＧでのＤＣ重複伝送である。ＭＣＧ、ＳＣＧは、それぞれ異なる基地局（５Ｇ基地局）のたとえば基地局１、基地局２に属する。基地局１、基地局２の両方から、ＭＡＣ  ＣＥを送信して重複伝送ベアラの活性化／非活性化を行うことができる。
【０００６】
以上の記載をまとめると、異なるネットワークノードから重複伝送活性化／非活性化ＭＡＣ  ＣＥを端末に送信して重複伝送ベアラの活性化／非活性化を行うことができ、異なるネットワークノードから重複伝送活性化／非活性化ＭＡＣ  ＣＥを送信する際に協同を必要としないため、送信される内容として矛盾する可能性がある。現在、異なるネットワークノードから異なる重複伝送活性化／非活性化ＭＡＣ  ＣＥを送信する際に、端末がどのように正しく作動するかという問題を解決方法は、まだ提案されていない。
【発明の概要】
【発明が解決しようとする課題】
【０００７】
本開示の目的は、重複伝送活性化／非活性化方法、基地局、端末および装置を提供し、異なるネットワークノードから異なる重複伝送活性化／非活性化ＭＡＣ  ＣＥの送信による端末の誤作動という従来技術の問題を解決することにある。
【課題を解決するための手段】
【０００８】
上記問題を解決するために、本開示の実施例は、端末に接続された第１基地局に応用される重複伝送活性化／非活性化方法を提供する。
前記方法において、
第１基地局で重複伝送が許容されるベアラと、重複伝送が許容されるベアラに対し重複伝送活性化／非活性化指示を行うための所定フィールドであって、前記第１基地局の重複伝送活性化／非活性化ＭＡＣ  ＣＥの所定フィールドのビットとの対応関係を特定するステップと、
第１基地局で重複伝送が許容されるベアラの重複伝送の活性化／非活性化が必要となると、前記第１基地局が、重複伝送活性化／非活性化ＭＡＣ  ＣＥの所定フィールドのうち、前記ベアラに対応するビットに対し充填設定を行い、前記重複伝送活性化／非活性化ＭＡＣ  ＣＥを生成して前記端末に送信するステップと、
を含む。
【０００９】
選択可能に、前記の第１基地局で重複伝送が許容されるベアラと、前記第１基地局の重複伝送活性化／非活性化ＭＡＣ  ＣＥの所定フィールドのビットとの対応関係を特定するステップは、
前記第１基地局が、第１基地局の重複伝送活性化／非活性化ＭＡＣ  ＣＥの所定フィールドのビットと、前記第１基地局で重複伝送が許容されるベアラとの対応関係を設定するステップと、
前記第１基地局が、設定した対応関係を前記端末に送信するステップと、
を含む。
【００１０】
選択可能に、前記方法において、前記第１基地局が、端末に接続された他基地局の重複伝送活性化／非活性化ＭＡＣ  ＣＥの所定フィールドのビットと、前記他基地局で重複伝送が許容されるベアラとの対応関係を設定するステップと、
前記第１基地局が、当該設定した対応関係を端末に送信するステップ、および／または、前記第１基地局が、当該設定した対応関係を対応基地局に送信するステップと、
をさらに含む。
【００１１】
選択可能に、第１基地局の重複伝送活性化／非活性化ＭＡＣ  ＣＥの所定フィールドと、前記端末に接続された他基地局の重複伝送活性化／非活性化ＭＡＣ  ＣＥの所定フィールドとは、同じ構造を有し、
前記同じ構造を有する重複伝送活性化／非活性化ＭＡＣ  ＣＥの所定フィールドのビットは、前記端末で重複伝送が許容されるすべてのベアラとは対応関係が存在する。
【００１２】
選択可能に、第１基地局の重複伝送活性化／非活性化ＭＡＣ  ＣＥの所定フィールドと、前記端末に接続された他基地局の重複伝送活性化／非活性化ＭＡＣ  ＣＥの所定フィールドとは、互いに独立した構造を有し、
前記第１基地局の重複伝送活性化／非活性化ＭＡＣ  ＣＥの所定フィールドのビットは、前記第１基地局で重複伝送が許容されるベアラとは対応関係が存在し、
前記他基地局の重複伝送活性化／非活性化ＭＡＣ  ＣＥの所定フィールドのビットは、前記他基地局で重複伝送が許容されるベアラとは対応関係が存在する。
【００１３】
選択可能に、第１基地局の重複伝送活性化／非活性化ＭＡＣ  ＣＥの所定フィールドと、前記端末に接続された他基地局の重複伝送活性化／非活性化ＭＡＣ  ＣＥの所定フィールドとは、互いに独立した構造を有し、
前記第１基地局の重複伝送活性化／非活性化ＭＡＣ  ＣＥの所定フィールドのビットは、第１基地局のみで重複伝送が許容されるベアラとは対応関係が存在し、
前記第１基地局の重複伝送活性化／非活性化ＭＡＣ  ＣＥの所定フィールドのビットは、第１基地局で重複伝送が許容される特定ベアラとは対応関係が存在し、
ここで、前記特定ベアラは、二重接続方式または多重接続方式で重複伝送を行い、かつ前記特定ベアラのマスタ基地局が前記第１基地局である。
【００１４】
本開示の実施例は、複数の基地局に接続された端末に応用される重複伝送活性化／非活性化方法をさらに提供する。
前記方法において、
第１基地局で重複伝送が許容されるベアラと、重複伝送が許容されるベアラに対し重複伝送活性化／非活性化指示を行うための所定フィールドであって、前記第１基地局の重複伝送活性化／非活性化ＭＡＣ  ＣＥの所定フィールドのビットとの対応関係を特定するステップと、
第１基地局から送信された重複伝送活性化／非活性化ＭＡＣ  ＣＥを受信すると、前記対応関係に基づき、前記第１基地局の重複伝送活性化／非活性化ＭＡＣ  ＣＥの所定フィールドのうち、第１基地局で重複伝送が許容されるベアラに対応するビットを解析するステップと、
前記ビットの指示に基づき、対応ベアラの重複伝送を活性化／非活性化すると特定するステップと、
を含む。
【００１５】
選択可能に、前記の第１基地局で重複伝送が許容されるベアラと、前記第１基地局の重複伝送活性化／非活性化ＭＡＣ  ＣＥの所定フィールドのビットとの対応関係を特定するステップは、
第１基地局によって設定された対応関係であって、第１基地局の重複伝送活性化／非活性化ＭＡＣ  ＣＥの所定フィールドのビットと、前記第１基地局で重複伝送が許容されるベアラとの対応関係を受信するステップを含む。
【００１６】
選択可能に、前記方法において、第１基地局によって設定された対応関係であって、端末に接続された他基地局の重複伝送活性化／非活性化ＭＡＣ  ＣＥの所定フィールドのビットと、前記他基地局で重複伝送が許容されるベアラとの対応関係を受信するステップをさらに含む。
【００１７】
選択可能に、前記方法において、他基地局から送信された重複伝送活性化／非活性化ＭＡＣ  ＣＥを受信すると、前記対応関係に基づき、前記他基地局の重複伝送活性化／非活性化ＭＡＣ  ＣＥの所定フィールドのうち、前記他基地局で重複伝送が許容されるベアラに対応するビットを解析するステップと、
前記ビットの指示に基づき、対応ベアラの重複伝送を活性化／非活性化すると特定するステップと、
をさらに含む。
【００１８】
選択可能に、第１基地局の重複伝送活性化／非活性化ＭＡＣ  ＣＥの所定フィールドと、前記端末に接続された他基地局の重複伝送活性化／非活性化ＭＡＣ  ＣＥの所定フィールドとは、同じ構造を有し、
前記同じ構造を有する重複伝送活性化／非活性化ＭＡＣ  ＣＥの所定フィールドのビットは、前記端末で重複伝送が許容されるすべてのベアラとは対応関係が存在する。
【００１９】
選択可能に、第１基地局の重複伝送活性化／非活性化ＭＡＣ  ＣＥの所定フィールドと、前記端末に接続された他基地局の重複伝送活性化／非活性化ＭＡＣ  ＣＥの所定フィールドとは、互いに独立した構造を有し、
前記第１基地局の重複伝送活性化／非活性化ＭＡＣ  ＣＥの所定フィールドのビットは、前記第１基地局で重複伝送が許容されるベアラとは対応関係が存在し、
前記他基地局の重複伝送活性化／非活性化ＭＡＣ  ＣＥの所定フィールドのビットは、前記他基地局で重複伝送が許容されるベアラとは対応関係が存在する。
【００２０】
選択可能に、第１基地局の重複伝送活性化／非活性化ＭＡＣ  ＣＥの所定フィールドと、前記端末に接続された他基地局の重複伝送活性化／非活性化ＭＡＣ  ＣＥの所定フィールドとは、互いに独立した構造を有し、
前記第１基地局の重複伝送活性化／非活性化ＭＡＣ  ＣＥの所定フィールドのビットは、第１基地局のみで重複伝送が許容されるベアラとは対応関係が存在し、
前記第１基地局の重複伝送活性化／非活性化ＭＡＣ  ＣＥの所定フィールドのビットは、第１基地局で重複伝送が許容される特定ベアラとは対応関係が存在し、
ここで、前記特定ベアラは、二重接続方式または多重接続方式で重複伝送を行い、かつ前記特定ベアラのマスタ基地局が前記第１基地局である。
【００２１】
本開示の実施例は、基地局をさらに提供する。
トランシーバと、メモリと、プロセッサと、前記メモリに記憶されて前記プロセッサで実行可能なコンピュータプログラムを含む基地局において、
前記プロセッサは、メモリからプログラムを読み取ることによって、
第１基地局で重複伝送が許容されるベアラと、前記第１基地局の重複伝送活性化／非活性化ＭＡＣ  ＣＥの所定フィールドであって、重複伝送が許容されるベアラに対し重複伝送活性化／非活性化指示を行うための所定フィールドのビットとの対応関係を特定する手順と、
第１基地局で重複伝送が許容されるベアラの重複伝送の活性化／非活性化が必要となると、前記第１基地局が、重複伝送活性化／非活性化ＭＡＣ  ＣＥの所定フィールドのうち、前記ベアラに対応するビットに対し充填設定を行い、前記重複伝送活性化／非活性化ＭＡＣ  ＣＥを生成する手順と、
を実行することに用いられ、
前記トランシーバは、
生成された前記重複伝送活性化／非活性化ＭＡＣ  ＣＥを端末に送信することに用いられる。
【００２２】
選択可能に、前記プロセッサは、さらに、
第１基地局の重複伝送活性化／非活性化ＭＡＣ  ＣＥの所定フィールドのビットと、前記第１基地局で重複伝送が許容されるベアラとの対応関係を設定する手順を実行することに用いられ、
前記トランシーバは、さらに、
設定された対応関係を前記端末に送信することに用いられる。
【００２３】
選択可能に、前記プロセッサは、さらに、
端末に接続された他基地局の重複伝送活性化／非活性化ＭＡＣ  ＣＥの所定フィールドのビットと、前記他基地局で重複伝送が許容されるベアラとの対応関係を設定する手順を実行することに用いられ、
前記トランシーバは、さらに、
当該設定された対応関係を端末に送信し、および／または、当該設定された対応関係を対応基地局に送信することに用いられる。
【００２４】
選択可能に、第１基地局の重複伝送活性化／非活性化ＭＡＣ  ＣＥの所定フィールドと、前記端末に接続された他基地局の重複伝送活性化／非活性化ＭＡＣ  ＣＥの所定フィールドとは、同じ構造を有し、
前記同じ構造を有する重複伝送活性化／非活性化ＭＡＣ  ＣＥの所定フィールドのビットは、前記端末で重複伝送が許容されるすべてのベアラとは対応関係が存在する。
【００２５】
選択可能に、第１基地局の重複伝送活性化／非活性化ＭＡＣ  ＣＥの所定フィールドと、前記端末に接続された他基地局の重複伝送活性化／非活性化ＭＡＣ  ＣＥの所定フィールドとは、互いに独立した構造を有し、
前記第１基地局の重複伝送活性化／非活性化ＭＡＣ  ＣＥの所定フィールドのビットは、前記第１基地局で重複伝送が許容されるベアラとは対応関係が存在し、
前記他基地局の重複伝送活性化／非活性化ＭＡＣ  ＣＥの所定フィールドのビットは、前記他基地局で重複伝送が許容されるベアラとは対応関係が存在する。
【００２６】
選択可能に、第１基地局の重複伝送活性化／非活性化ＭＡＣ  ＣＥの所定フィールドと、前記端末に接続された他基地局の重複伝送活性化／非活性化ＭＡＣ  ＣＥの所定フィールドとは、互いに独立した構造を有し、
前記第１基地局の重複伝送活性化／非活性化ＭＡＣ  ＣＥの所定フィールドのビットは、第１基地局のみで重複伝送が許容されるベアラとは対応関係が存在し、
前記第１基地局の重複伝送活性化／非活性化ＭＡＣ  ＣＥの所定フィールドのビットは、第１基地局で重複伝送が許容される特定ベアラとは対応関係が存在し、
ここで、前記特定ベアラは、二重接続方式または多重接続方式で重複伝送を行い、かつ前記特定ベアラのマスタ基地局が前記第１基地局である。
【００２７】
本開示の実施例は、コンピュータ読み取り可能な記憶媒体をさらに提供する。
コンピュータプログラムが記憶されているコンピュータ読み取り可能な記憶媒体であって
前記コンピュータプログラムがプロセッサによって実行されると、以上記載した重複伝送活性化／非活性化方法のステップが実現される。
【００２８】
本開示の実施例は、端末に接続された第１基地局に応用される重複伝送活性化／非活性化装置をさらに提供する。
前記装置は、
第１基地局で重複伝送が許容されるベアラと、重複伝送が許容されるベアラに対し重複伝送活性化／非活性化指示を行うための所定フィールドであって、前記第１基地局の重複伝送活性化／非活性化ＭＡＣ  ＣＥの所定フィールドのビットとの対応関係を特定するための第１関係特定モジュールと、
第１基地局で重複伝送が許容されるベアラの重複伝送の活性化／非活性化が必要となると、前記第１基地局が、重複伝送活性化／非活性化ＭＡＣ  ＣＥの所定フィールドのうち、前記ベアラに対応するビットに対し充填設定を行い、前記重複伝送活性化／非活性化ＭＡＣ  ＣＥを生成して前記端末に送信するための生成送信モジュールと、
を含む。
【００２９】
本開示の実施例は、端末をさらに提供する。
トランシーバと、メモリと、プロセッサと、前記メモリに記憶されて前記プロセッサで実行可能なコンピュータプログラムを含む端末において、
前記プロセッサは、メモリからプログラムを読み取ることによって、
第１基地局で重複伝送が許容されるベアラと、重複伝送が許容されるベアラに対し重複伝送活性化／非活性化指示を行うための所定フィールドであって、前記第１基地局の重複伝送活性化／非活性化ＭＡＣ  ＣＥの所定フィールドのビットとの対応関係を特定する手順を実行することに用いられ、
前記トランシーバは、
第１基地局から送信された重複伝送活性化／非活性化ＭＡＣ  ＣＥを受信することに用いられ、
前記プロセッサは、さらに、
前記対応関係に基づき、前記第１基地局の重複伝送活性化／非活性化ＭＡＣ  ＣＥの所定フィールドのうち、第１基地局で重複伝送が許容されるベアラに対応するビットを解析する手順と、
前記ビットの指示に基づき、対応ベアラの重複伝送を活性化／非活性化すると特定する手順と、
を実行することに用いられる。
【００３０】
選択可能に、前記トランシーバは、さらに、
第１基地局によって設定された対応関係であって、第１基地局の重複伝送活性化／非活性化ＭＡＣ  ＣＥの所定フィールドのビットと、前記第１基地局で重複伝送が許容されるベアラとの対応関係を受信することに用いられる。
【００３１】
選択可能に、前記トランシーバは、さらに、
第１基地局によって設定された対応関係であって、端末に接続された他基地局の重複伝送活性化／非活性化ＭＡＣ  ＣＥの所定フィールドのビットと、前記他基地局で重複伝送が許容されるベアラとの対応関係を受信することに用いられる。
【００３２】
選択可能に、前記トランシーバは、さらに、
他基地局から送信された重複伝送活性化／非活性化ＭＡＣ  ＣＥを受信することに用いられ、
前記プロセッサは、さらに、
前記対応関係に基づき、前記他基地局の重複伝送活性化／非活性化ＭＡＣ  ＣＥの所定フィールドのうち、前記他基地局で重複伝送が許容されるベアラに対応するビットを解析する手順と、
前記ビットの指示に基づき、対応ベアラの重複伝送を活性化／非活性化すると特定する手順と、
を実行することに用いられる。
【００３３】
選択可能に、第１基地局の重複伝送活性化／非活性化ＭＡＣ  ＣＥの所定フィールドと、前記端末に接続された他基地局の重複伝送活性化／非活性化ＭＡＣ  ＣＥの所定フィールドとは、同じ構造を有し、
前記同じ構造を有する重複伝送活性化／非活性化ＭＡＣ  ＣＥの所定フィールドのビットは、前記端末で重複伝送が許容されるすべてのベアラとは対応関係が存在する。
【００３４】
選択可能に、第１基地局の重複伝送活性化／非活性化ＭＡＣ  ＣＥの所定フィールドと、前記端末に接続された他基地局の重複伝送活性化／非活性化ＭＡＣ  ＣＥの所定フィールドとは、互いに独立した構造を有し、
前記第１基地局の重複伝送活性化／非活性化ＭＡＣ  ＣＥの所定フィールドのビットは、前記第１基地局で重複伝送が許容されるベアラとは対応関係が存在し、
前記他基地局の重複伝送活性化／非活性化ＭＡＣ  ＣＥの所定フィールドのビットは、前記他基地局で重複伝送が許容されるベアラとは対応関係が存在する。
【００３５】
選択可能に、第１基地局の重複伝送活性化／非活性化ＭＡＣ  ＣＥの所定フィールドと、前記端末に接続された他基地局の重複伝送活性化／非活性化ＭＡＣ  ＣＥの所定フィールドとは、互いに独立した構造を有し、
前記第１基地局の重複伝送活性化／非活性化ＭＡＣ  ＣＥの所定フィールドのビットは、第１基地局のみで重複伝送が許容されるベアラとは対応関係が存在し、
前記第１基地局の重複伝送活性化／非活性化ＭＡＣ  ＣＥの所定フィールドのビットは、第１基地局で重複伝送が許容される特定ベアラとは対応関係が存在し、
ここで、前記特定ベアラは、二重接続方式または多重接続方式で重複伝送を行い、かつ前記特定ベアラのマスタ基地局が前記第１基地局である。
【００３６】
本開示の実施例は、コンピュータ読み取り可能な記憶媒体をさらに提供する。
コンピュータプログラムが記憶されているコンピュータ読み取り可能な記憶媒体であって、
前記コンピュータプログラムがプロセッサによって実行されると、以上記載した重複伝送活性化／非活性化方法のステップが実現される。
【００３７】
本開示の実施例は、複数の基地局に接続された端末に応用される重複伝送活性化／非活性化装置をさらに提供する。
前記装置において、
第１基地局で重複伝送が許容されるベアラと、重複伝送が許容されるベアラに対し重複伝送活性化／非活性化指示を行うための所定フィールドであって、前記第１基地局の重複伝送活性化／非活性化ＭＡＣ  ＣＥの所定フィールドのビットとの対応関係を特定するための第２関係特定モジュールと、
第１基地局から送信された重複伝送活性化／非活性化ＭＡＣ  ＣＥを受信すると、前記対応関係に基づき、前記第１基地局の重複伝送活性化／非活性化ＭＡＣ  ＣＥの所定フィールドのうち、第１基地局で重複伝送が許容されるベアラに対応するビットを解析するための第１解析モジュールと、
前記ビットの指示に基づき、対応ベアラの重複伝送を活性化／非活性化すると特定するための第１処理モジュールと、
を含む。
【発明の効果】
【００３８】
本開示の実施例の上記技術手段において、基地局は、重複伝送が許容されるベアラと、重複伝送活性化／非活性化ＭＡＣ  ＣＥの所定フィールドのビットとの対応関係を予め設定し、設定した対応関係を端末に送信し、かつ、自基地局で重複伝送が許容されるベアラの重複伝送のみに対し活性化／非活性化指示を行う。対応する端末は、重複伝送活性化／非活性化ＭＡＣ  ＣＥの送信元の基地局および予め設定された対応関係に基づき、対応するベアラの重複伝送を活性化／非活性化する。よって、端末は、複数の基地局に接続される場合、異なる種類のベアラに対する重複伝送活性化／非活性化を正しく受信して実現することができる。よって、重複伝送が効果的に実現され、ネットワーク側と端末側の誤解による誤作動の問題が避けられ、リソース伝送効率とデータ伝送正確性が向上する。
【図面の簡単な説明】
【００３９】
【図１】図１は、従来技術におけるＣＡ重複伝送モデル図である。
【図２】図２は、従来技術におけるＤＣ重複伝送モデル図である。
【図３】図３は、従来技術におけるマルチ基地局による重複伝送の原理図である。
【図４】図４は、本開示の実施例による重複伝送活性化／非活性化方法のフローチャートその１である。
【図５】図５は、本開示の実施例による重複伝送活性化／非活性化方法でＭＡＣ  ＣＥの構造図その１である。
【図６】図６は、本開示の実施例による重複伝送活性化／非活性化方法でＭＡＣ  ＣＥの構造図その２である。
【図７】図７は、本開示の実施例による重複伝送活性化／非活性化方法でＭＡＣ  ＣＥの構造図その３である。
【図８】図８は、本開示の実施例による重複伝送活性化／非活性化方法のフローチャートその２である。
【図９】図９は、本開示の実施例による基地局の構造図である。
【図１０】図１０は、本開示の実施例による重複伝送活性化／非活性化装置の構造図その１である。
【図１１】図１１は、本開示の実施例による端末の構造図である。
【図１２】図１２は、本開示の実施例による重複伝送活性化／非活性化装置の構造図その２である。
【発明を実施するための形態】
【００４０】
本開示の解決しようとする技術問題、技術手段及び利点をより明確にするために、以下、図面および具体的な実施例とともに詳細に記載する。
【００４１】
図４に示すように、本開示の実施例は、端末に接続された第１基地局に応用される重複伝送活性化／非活性化方法を提供する。前記方法において、以下のステップを含む。
【００４２】
ステップ４１において、第１基地局で重複伝送が許容されるベアラと、前記第１基地局の重複伝送活性化／非活性化ＭＡＣ  ＣＥの所定フィールドのビットとの対応関係を特定する。前記所定フィールドは、重複伝送が許容されるベアラに対し重複伝送活性化／非活性化指示を行うことに用いられる。
【００４３】
本ステップにおいて、所定フィールドは、具体的に重複伝送活性化／非活性化ＭＡＣ  ＣＥのうちのｂｉｔｍａｐフィールドである。ｂｉｔｍａｐフィールドは、通常、８ｂｉｔであり、最多で８つのベアラの重複伝送活性化／非活性化を指示することに用いられる。なお、ｂｉｔｍａｐフィールドを拡張可能なフィールドに設定可能であるため、基地局は、具体的なニーズに応じてｂｉｔｍａｐフィールドのサイズを拡張することによって、指示可能なベアラの数を拡張することができる。
【００４４】
ステップ４２において、第１基地局で重複伝送が許容されるベアラの重複伝送の活性化／非活性化が必要となると、前記第１基地局は、重複伝送活性化／非活性化ＭＡＣ  ＣＥの所定フィールドのうち、前記ベアラに対応するビットに対し充填設定を行い、前記重複伝送活性化／非活性化ＭＡＣ  ＣＥを生成して前記端末に送信する。
【００４５】
本開示の上記実施例において、基地局側は、自基地局で重複伝送が許容されるベアラの重複伝送のみに対し活性化／非活性化指示を行う。たとえば、第１基地局で重複伝送が許容されるベアラにＤＲＢ１とＤＲＢ２が含まれると、第１基地局の重複伝送活性化／非活性化ＭＡＣ  ＣＥの所定フィールドでは、２つのビット（１つめのビットと２つめのビットに設定する）がＤＲＢ１、ＤＲＢ２とはそれぞれ対応関係が存在する。ここで、１つめのビットは、ＤＲＢ１に対し活性化／非活性化指示を行うことに用いられ、２つめのビットは、ＤＲＢ２に対し活性化／非活性化指示を行うことに用いられる。なお、第１基地局の重複伝送活性化／非活性化ＭＡＣ  ＣＥの所定フィールドのほかのビットは、その機能についてここでは限定しないが、他基地局で重複伝送が許容されるベアラに対し有効的な活性化／非活性化指示を行うことに用いられない。当該ＤＲＢは、具体的にデータベアラを指す。
【００４６】
さらに、重複伝送が許容されるベアラＲＢは、データベアラＤＲＢであってもよく、シグナリングベアラＳＲＢであってもよいが、ここでは具体的に限定しない。本開示の下記実施例において、記載の明確化を図るために、重複伝送が許容されるベアラＲＢをすべてデータベアラＤＲＢとする。
【００４７】
基地局側では、自基地局で重複伝送が許容されるベアラの重複伝送に対する活性化／非活性化指示しか行われないため、端末側は、重複伝送活性化／非活性化ＭＡＣ  ＣＥを受信すると、当該重複伝送活性化／非活性化ＭＡＣ  ＣＥの送信元の基地局に基づき、所定フィールドの有効ビットを特定し、重複伝送活性化／非活性化ＭＡＣ  ＣＥの送信元の基地局に指示されたベアラのみを活性化／非活性化する。すなわち、自基地局から送信された重複伝送活性化／非活性化ＭＡＣ  ＣＥは、他基地局でのベアラを活性化／非活性化することができない。よって、基地局側と端末側との間で重複伝送活性化／非活性化ＭＡＣ  ＣＥに対する誤解が避けられ、重複伝送が効果的に実現される。
【００４８】
さらに、本開示の上記実施例において、ステップ４１は、
前記第１基地局が、第１基地局の重複伝送活性化／非活性化ＭＡＣ  ＣＥの所定フィールドのビットと、前記第１基地局で重複伝送が許容されるベアラとの対応関係を設定するステップと、
前記第１基地局が、設定した対応関係を前記端末に送信するステップと、
を含む。
【００４９】
具体的に、基地局は、自基地局で重複伝送が許容されるベアラと、自基地局の重複伝送活性化／非活性化ＭＡＣ  ＣＥの所定フィールドのビットとの対応関係を設定する。たとえば、第１基地局で重複伝送が許容されるベアラにＤＲＢ１とＤＲＢ２が含まれると、第１基地局の重複伝送活性化／非活性化ＭＡＣ  ＣＥの所定フィールドでは、２つのビット（１つめのビット、２つめのビットに設定する）がＤＲＢ１、ＤＲＢ２とはそれぞれ対応関係が存在する。ここで、１つめのビットは、ＤＲＢ１に対し活性化／非活性化指示を行うことに用いられ、２つめのビットは、ＤＲＢ２に対し活性化／非活性化指示を行うことに用いられる。
【００５０】
さらに、本開示の上記実施例において、前記方法では、
前記第１基地局が、端末に接続された他基地局の重複伝送活性化／非活性化ＭＡＣ  ＣＥの所定フィールドのビットと、前記他基地局で重複伝送が許容されるベアラとの対応関係を設定するステップと、
前記第１基地局が、当該設定した対応関係を端末に送信するステップ、および／または、前記第１基地局が、当該設定した対応関係を対応基地局に送信するステップと、
をさらに含む。
【００５１】
具体的に、基地局は、自基地局で重複伝送が許容されるベアラと、自基地局の重複伝送活性化／非活性化ＭＡＣ  ＣＥの所定フィールドのビットとの対応関係のみならず、他基地局で重複伝送が許容されるベアラと、他基地局の重複伝送活性化／非活性化ＭＡＣの所定フィールドのビットとの対応関係を設定することもできる。
【００５２】
たとえば、他基地局（第２基地局とする）で重複伝送が許容されるベアラにＤＲＢ３とＤＲＢ４が含まれると、第１基地局は、第２基地局の重複伝送活性化／非活性化ＭＡＣ  ＣＥの所定フィールドの２つのビット（１つめのビット、２つめのビットに設定する）と、ＤＲＢ３、ＤＲＢ４との対応関係を設定する。ここで、第１基地局は、所定フィールドの１つめのビットがＤＲＢ３に対し活性化／非活性化指示を行うように設定し、２つめのビットがＤＲＢ４に対し活性化／非活性化指示を行うように設定する。
【００５３】
なお、第２基地局の重複伝送活性化／非活性化ＭＡＣ  ＣＥの所定フィールドのビットと、前記第２基地局で重複伝送が許容されるベアラとの対応関係は、第２基地局自身によって設定されてもよいが、ここでは具体的に限定しない。第１基地局の重複伝送活性化／非活性化ＭＡＣ  ＣＥの所定フィールドのビットと、前記第１基地局で重複伝送が許容されるベアラとの対応関係も、他基地局によって設定されてもよいが、ここでは具体的に限定しない。
【００５４】
本開示の上記実施例は、具体的に下記３種類の基地局による重複伝送活性化／非活性化ＭＡＣ  ＣＥ伝送の実現方式を提供する。
【００５５】
方式１：
第１基地局の重複伝送活性化／非活性化ＭＡＣ  ＣＥの所定フィールドと、前記端末に接続された他基地局の重複伝送活性化／非活性化ＭＡＣ  ＣＥの所定フィールドとは、同じ構造を有し、
前記同じ構造を有する重複伝送活性化／非活性化ＭＡＣ  ＣＥの所定フィールドのビットは、前記端末で重複伝送が許容されるすべてのベアラとは対応関係が存在する。
【００５６】
第１基地局と他基地局がともに端末に接続され、すなわち端末に接続されたすべての基地局から当該端末に送信される重複伝送活性化／非活性化ＭＡＣ  ＣＥの所定フィールドの構造が同じであるため、当該重複伝送活性化／非活性化ＭＡＣ  ＣＥの所定フィールドのビットは、前記端末で重複伝送が許容されるすべてのベアラとは対応関係が存在する。端末で重複伝送が許容されるすべてのベアラは、第１基地局で重複伝送が許容されるベアラを含む。
【００５７】
たとえば、端末Ａがそれぞれ基地局Ｂ、基地局Ｃおよび基地局Ｄに接続されるとすると、端末Ａで重複伝送が許容されるすべてのベアラは、端末Ａと基地局Ｂとの間で重複伝送が許容されるベアラ、端末Ａと基地局Ｃとの間で重複伝送が許容されるベアラ、および端末Ａと基地局Ｄとの間で重複伝送が許容されるベアラを含む。
【００５８】
つまり、方式１では、異なる基地局（ネットワークノード）では、同じ重複伝送活性化／非活性化ＭＡＣ設定が用いられ、すなわち当該ＭＡＣ  ＣＥのうちのｂｉｔｍａｐのビットとベアラＲＢとの対応関係は、（一部のＲＢが特定基地局のみで伝送されるにもかかわらず）異なる基地局では同じである。
【００５９】
図５に示すように、基地局１ではＤＲＢ１とＤＲＢ２の重複伝送が行われ、基地局２ではＤＲＢ２とＤＲＢ３の重複伝送が行われるように設定される。重複伝送活性化／非活性化ＭＡＣ  ＣＥのフォーマットは、基地局１と基地局２では一致しており、すなわち同じｂｉｔｍａｐ指示方式が用いられ、前から３つのｂｉｔでそれぞれＤＲＢ１、ＤＲＢ２、ＤＲＢ３を指示する。基地局１から重複伝送活性化／非活性化ＭＡＣ  ＣＥを送信する場合、端末は、ＤＲＢ１、ＤＲＢ２に対応するビットの指示のみを有効にし、対応するＤＲＢの重複伝送を活性化／非活性化する。基地局２から重複伝送活性化／非活性化ＭＡＣ  ＣＥを送信する場合、端末は、ＤＲＢ２、ＤＲＢ３に対応するビットの指示のみを有効にし、対応するＤＲＢの重複伝送を活性化／非活性化する。図では、重複伝送活性化／非活性化ＭＡＣ  ＣＥのうちのｂｉｔｍａｐの有効ビットしか示されていない。
【００６０】
さらに、図５における同じ構造を有する重複伝送活性化／非活性化ＭＡＣ  ＣＥの所定フィールドのビットと、前記端末で重複伝送が許容されるすべてのベアラとの対応関係は、基地局１および／または基地局２によって設定される。
【００６１】
１つの基地局によって、重複伝送活性化／非活性化ＭＡＣ  ＣＥのうちのｂｉｔｍａｐのビットとＲＢとの対応関係を設定する。たとえば、図では、基地局１によって、当該ＭＡＣ  ＣＥのうちのｂｉｔｍａｐの前から３つのビットがＤＲＢ１、ＤＲＢ２、ＤＲＢ３に対応するように設定する。
【００６２】
または、複数の基地局によって、重複伝送活性化／非活性化ＭＡＣ  ＣＥのｂｉｔｍａｐのビットとＲＢとの対応関係を設定する。たとえば、図では、基地局１によって、当該ＭＡＣ  ＣＥのうちのｂｉｔｍａｐの前から２つのビットがＤＲＢ１、ＤＲＢ２に対応するように設定し、基地局２によって、当該ＭＡＣ  ＣＥのうちのｂｉｔｍａｐの３つめのビットがＤＲＢ３に対応するように設定する。
【００６３】
方式２：
第１基地局の重複伝送活性化／非活性化ＭＡＣ  ＣＥの所定フィールドと、前記端末に接続された他基地局の重複伝送活性化／非活性化ＭＡＣ  ＣＥの所定フィールドとは、互いに独立した構造を有し、
前記第１基地局の重複伝送活性化／非活性化ＭＡＣ  ＣＥの所定フィールドのビットは、前記第１基地局で重複伝送が許容されるベアラとは対応関係が存在し、
前記他基地局の重複伝送活性化／非活性化ＭＡＣ  ＣＥの所定フィールドのビットは、前記他基地局で重複伝送が許容されるベアラとは対応関係が存在する。
【００６４】
具体的に、異なる基地局では、それぞれ独立した重複伝送活性化／非活性化ＭＡＣ  ＣＥ設定が用いられ、すなわち、当該ＭＡＣ  ＣＥのうちのｂｉｔｍａｐのビットとＲＢとの対応関係は、各基地局で設定されたＲＢに応じてそれぞれ異なる。自基地局で無効であるＤＲＢは、重複伝送活性化／非活性化ＭＡＣ  ＣＥで指示されない。図６に示すように、基地局１ではＤＲＢ１とＤＲＢ２の重複伝送が行われ、基地局２ではＤＲＢ２とＤＲＢ３の重複伝送が行われるように設定される。重複伝送活性化／非活性化ＭＡＣ  ＣＥのフォーマットは、基地局１と基地局２では一致しない。基地局１から重複伝送活性化／非活性化ＭＡＣ  ＣＥを送信する場合、当該ＭＡＣ  ＣＥの前から２つのビットでそれぞれＤＲＢ１、ＤＲＢ２を指示し、端末は、対応するＤＲＢの重複伝送を活性化／非活性化する。基地局２から重複伝送活性化／非活性化ＭＡＣ  ＣＥを送信する場合、当該ＭＡＣ  ＣＥの前から２つのビットでそれぞれＤＲＢ２、ＤＲＢ３を指示し、端末は、対応するＤＲＢの重複伝送を活性化／非活性化する。図では、重複伝送活性化／非活性化ＭＡＣ  ＣＥのうちのｂｉｔｍａｐの有効ビットしか示されていない。
【００６５】
さらに、図６における互いに独立する異なる基地局の重複伝送活性化／非活性化ＭＡＣ  ＣＥの所定フィールドの構造は、基地局１および／または基地局２によって設定される。
【００６６】
１つの基地局によって、重複伝送活性化／非活性化ＭＡＣ  ＣＥのうちのｂｉｔｍａｐの各ビットとＲＢとの対応関係を設定する。本実施例において、異なるセル群ＣＧ（ＭＣＧまたはＳＣＧ）に対し、異なる対応関係をそれぞれ設定する。たとえば、図６では、基地局１によって、基地局１の重複伝送活性化／非活性化ＭＡＣ  ＣＥのうちのｂｉｔｍａｐの前から２つのビットがＤＲＢ１、ＤＲＢ２に対応するように設定し、かつ基地局１によって、基地局２の重複伝送活性化／非活性化ＭＡＣ  ＣＥのうちのｂｉｔｍａｐの前から２つのビットがＤＲＢ２、ＤＲＢ３に対応するように設定する。
【００６７】
または、複数の基地局によって、重複伝送活性化／非活性化ＭＡＣ  ＣＥのうちのｂｉｔｍａｐの各ビットとＲＢとの対応関係を設定する。本実施例において、基地局１によって、基地局１の重複伝送活性化／非活性化ＭＡＣ  ＣＥを設定し、当該ＭＡＣ  ＣＥのうちのｂｉｔｍａｐの前から２つのビットをＤＲＢ１、ＤＲＢ２に対応させ、基地局２によって、基地局２の重複伝送活性化／非活性化ＭＡＣ  ＣＥを設定し、当該ＭＡＣ  ＣＥのうちのｂｉｔｍａｐの前から２つのビットをＤＲＢ２、ＤＲＢ３に対応させる。
【００６８】
方式３：
第１基地局の重複伝送活性化／非活性化ＭＡＣ  ＣＥの所定フィールドと、前記端末に接続された他基地局の重複伝送活性化／非活性化ＭＡＣ  ＣＥの所定フィールドとは、互いに独立した構造を有し、
前記第１基地局の重複伝送活性化／非活性化ＭＡＣ  ＣＥの所定フィールドのビットは、第１基地局のみで重複伝送が許容されるベアラとは対応関係が存在し、
前記第１基地局の重複伝送活性化／非活性化ＭＡＣ  ＣＥの所定フィールドのビットは、第１基地局で重複伝送が許容される特定ベアラとは対応関係が存在し、
ここで、前記特定ベアラは、二重接続方式または多重接続方式で重複伝送を行い、かつ前記特定ベアラのマスタ基地局が前記第１基地局である。
具体的に、当該特定ベアラのＰＤＣＰ層が位置する基地局は、当該特定ベアラのマスタ基地局である。
【００６９】
具体的に、異なる基地局では、それぞれ独立した重複伝送活性化／非活性化ＭＡＣ  ＣＥ設定が用いられ、すなわち、当該ＭＡＣ  ＣＥのうちのｂｉｔｍａｐの各ビットとＲＢとの対応関係は、各基地局で設定されたＲＢに応じてそれぞれ異なる。同時に、ＤＣまたはＭＣのＲＢ（２つ以上の基地局によって伝送可能であって重複伝送が許容されるＲＢ）について、１つのマスタ基地局のみによって重複伝送活性化または非活性化の指示を行うことができる。
【００７０】
自基地局で無効であるＲＢは、重複伝送活性化／非活性化ＭＡＣ  ＣＥで指示されない。図７に示すように、基地局１ではＤＲＢ１とＤＲＢ２の重複伝送が行われ、基地局２ではＤＲＢ２とＤＲＢ３の重複伝送が行われるように設定されるが、マスタ基地局（すなわち基地局１）のみがＤＲＢ２の重複伝送を活性化／非活性化できる。重複伝送活性化／非活性化ＭＡＣ  ＣＥのフォーマットは、基地局１と基地局２では一致しない。基地局１から重複伝送活性化／非活性化ＭＡＣ  ＣＥを送信する場合、当該ＭＡＣ  ＣＥの前から２つのビットでそれぞれＤＲＢ１、ＤＲＢ２を指示し、端末は、対応するＤＲＢの重複伝送を活性化／非活性化する。基地局２から重複伝送活性化／非活性化ＭＡＣ  ＣＥを送信する場合、当該ＭＡＣ  ＣＥの１つめのビットでＤＲＢ３を指示し、端末は、対応するＤＲＢの重複伝送を活性化／非活性化する。図では、重複伝送活性化／非活性化ＭＡＣ  ＣＥのうちのｂｉｔｍａｐの有効ビットしか示されていない。
【００７１】
さらに、図７における互いに独立する異なる基地局の重複伝送活性化／非活性化ＭＡＣ  ＣＥの所定フィールドの構造は、基地局１および／または基地局２によって設定される。
【００７２】
１つの基地局によって、重複伝送活性化／非活性化ＭＡＣ  ＣＥのうちのｂｉｔｍａｐの各ビットとＲＢとの対応関係を設定する。本実施例において、異なるセル群ＣＧ（ＭＣＧまたはＳＣＧ）に対し、異なる対応関係をそれぞれ設定する。たとえば、図７では、基地局１によって、基地局１の重複伝送活性化／非活性化ＭＡＣ  ＣＥのうちのｂｉｔｍａｐの前から２つのビットがＤＲＢ１、ＤＲＢ２に対応するように設定し、基地局１によって、基地局２の重複伝送活性化／非活性化ＭＡＣ  ＣＥのうちのｂｉｔｍａｐの１つめのビットがＤＲＢ３に対応するように設定する。本実施例において、ＤＲＢ２は、二重接続ＲＢであり、１つの基地局（本実施例では基地局１）のみによって重複伝送が活性化／非活性化され、基地局２による重複伝送の活性化／非活性化ができない。
【００７３】
または、複数の基地局によって、重複伝送活性化／非活性化ＭＡＣ  ＣＥのうちのｂｉｔｍａｐの各ビットとＲＢとの対応関係を設定する。本実施例において、基地局１によって、基地局１の重複伝送活性化／非活性化ＭＡＣ  ＣＥを設定し、当該ＭＡＣ  ＣＥのうちのｂｉｔｍａｐの前から２つのビットをＤＲＢ１、ＤＲＢ２に対応させ、基地局２によって、基地局２の重複伝送活性化／非活性化ＭＡＣ  ＣＥを設定し、当該ＭＡＣ  ＣＥのうちのｂｉｔｍａｐの１つめのビットをＤＲＢ３に対応させる。本実施例において、ＤＲＢ２は、二重接続ＲＢであり、１つの基地局（本実施例では基地局１）のみによって重複伝送が活性化／非活性化され、基地局２による重複伝送の活性化／非活性化ができない。
【００７４】
つまり、本開示の上記実施例による重複伝送活性化／非活性化方法において、基地局は、重複伝送が許容されるベアラと、重複伝送活性化／非活性化ＭＡＣ  ＣＥの所定フィールドのビットとの対応関係を予め設定し、設定した対応関係を端末に送信し、かつ、自基地局で重複伝送が許容されるベアラの重複伝送のみに対し活性化／非活性化指示を行う。よって、端末は、複数の基地局に接続される場合、異なる種類のベアラに対する重複伝送活性化／非活性化を正しく受信して実現することができる。よって、重複伝送が効果的に実現され、ネットワーク側と端末側の誤解による誤作動の問題が避けられる。
【００７５】
図８に示すように、本開示の実施例において、複数の基地局に接続された端末に応用される重複伝送活性化／非活性化方法をさらに提供する。前記方法において、以下のステップを含む。
【００７６】
ステップ８１において、第１基地局で重複伝送が許容されるベアラと、前記第１基地局の重複伝送活性化／非活性化ＭＡＣ  ＣＥの所定フィールドのビットとの対応関係を特定する。前記所定フィールドは、重複伝送が許容されるベアラに対し重複伝送活性化／非活性化指示を行うことに用いられる。
【００７７】
本ステップにおいて、所定フィールドは、具体的に重複伝送活性化／非活性化ＭＡＣ  ＣＥのうちのｂｉｔｍａｐフィールドである。ｂｉｔｍａｐフィールドは、通常、８ｂｉｔであり、最多で８つのベアラの重複伝送活性化／非活性化を指示することに用いられる。なお、ｂｉｔｍａｐフィールドを拡張可能なフィールドに設定可能であるため、基地局は、具体的なニーズに応じてｂｉｔｍａｐフィールドのサイズを拡張することによって、指示可能なベアラの数を拡張することができる。
【００７８】
ステップ８２において、第１基地局から送信された重複伝送活性化／非活性化ＭＡＣ  ＣＥを受信すると、前記対応関係に基づき、前記第１基地局の重複伝送活性化／非活性化ＭＡＣ  ＣＥの所定フィールドのうち、第１基地局で重複伝送が許容されるベアラに対応するビットを解析する。
【００７９】
ステップ８３において、前記ビットの指示に基づき、対応ベアラの重複伝送を活性化／非活性化すると特定する。
【００８０】
本開示の上記実施例において、端末は、基地局側によって設定された重複伝送が許容されるベアラと重複伝送活性化／非活性化ＭＡＣ  ＣＥの所定フィールドのビットとの対応関係を予め受信し、重複伝送活性化／非活性化ＭＡＣ  ＣＥを受信すると、当該重複伝送活性化／非活性化ＭＡＣ  ＣＥの送信元の基地局、および当該基地局の重複伝送活性化／非活性化ＭＡＣ  ＣＥのビットとベアラとの対応関係に基づき、対応するベアラの重複伝送を活性化／非活性化する。
【００８１】
端末が、基地局によって設定された対応関係に基づき、ある基地局から送信される重複伝送活性化／非活性化ＭＡＣ  ＣＥの所定フィールドの有効ビットを予め特定し、その有効ビットのみを解析して対応ベアラの重複伝送の活性化／非活性化を行うことができ、かつ基地局側が、有効ビットのみで、自基地局で重複伝送が許容されるベアラの重複伝送に対し活性化／非活性化指示を行うため、基地局側と端末側との間で重複伝送活性化／非活性化ＭＡＣ  ＣＥに対する誤解が避けられ、重複伝送が効果的に実現される。
【００８２】
さらに、本開示の上記実施例において、ステップ８１は、第１基地局によって設定された対応関係であって、第１基地局の重複伝送活性化／非活性化ＭＡＣ  ＣＥの所定フィールドのビットと、前記第１基地局で重複伝送が許容されるベアラとの対応関係を受信するステップを含む。
【００８３】
具体的に、基地局は、自基地局で重複伝送が許容されるベアラと、自基地局の重複伝送活性化／非活性化ＭＡＣ  ＣＥの所定フィールドのビットとの対応関係を設定する。たとえば、第１基地局で重複伝送が許容されるベアラにＤＲＢ１とＤＲＢ２が含まれると、第１基地局の重複伝送活性化／非活性化ＭＡＣ  ＣＥの所定フィールドでは、２つのビット（１つめのビット、２つめのビットに設定する）がＤＲＢ１、ＤＲＢ２とはそれぞれ対応関係が存在する。ここで、１つめのビットは、ＤＲＢ１に対し活性化／非活性化指示を行うことに用いられ、２つめのビットは、ＤＲＢ２に対し活性化／非活性化指示を行うことに用いられる。
【００８４】
さらに、本開示の上記実施例において、前記方法では、第１基地局によって設定された対応関係であって、端末に接続された他基地局の重複伝送活性化／非活性化ＭＡＣ  ＣＥの所定フィールドのビットと、前記他基地局で重複伝送が許容されるベアラとの対応関係を受信するステップをさらに含む。
【００８５】
具体的に、基地局は、自基地局で重複伝送が許容されるベアラと、自基地局の重複伝送活性化／非活性化ＭＡＣ  ＣＥの所定フィールドのビットとの対応関係のみならず、他基地局で重複伝送が許容されるベアラと、他基地局の重複伝送活性化／非活性化ＭＡＣの所定フィールドのビットとの対応関係を設定することもできる。
【００８６】
たとえば、他基地局（第２基地局とする）で重複伝送が許容されるベアラにＤＲＢ３とＤＲＢ４が含まれると、第１基地局は、第２基地局の重複伝送活性化／非活性化ＭＡＣ  ＣＥの所定フィールドの２つのビット（１つめのビット、２つめのビットに設定する）と、ＤＲＢ３、ＤＲＢ４との対応関係を設定する。ここで、第１基地局は、所定フィールドの１つめのビットがＤＲＢ３に対し活性化／非活性化指示を行うように設定し、２つめのビットがＤＲＢ４に対し活性化／非活性化指示を行うように設定する。
【００８７】
なお、第２基地局の重複伝送活性化／非活性化ＭＡＣ  ＣＥの所定フィールドのビットと、前記第２基地局で重複伝送が許容されるベアラとの対応関係は、第２基地局自身によって設定されてもよいが、ここでは具体的に限定しない。第１基地局の重複伝送活性化／非活性化ＭＡＣ  ＣＥの所定フィールドのビットと、前記第１基地局で重複伝送が許容されるベアラとの対応関係も、他基地局によって設定されてもよいが、ここでは具体的に限定しない。
【００８８】
さらに、本開示の上記実施例において、前記方法では、
他基地局から送信された重複伝送活性化／非活性化ＭＡＣ  ＣＥを受信すると、前記対応関係に基づき、前記他基地局の重複伝送活性化／非活性化ＭＡＣ  ＣＥの所定フィールドのうち、前記他基地局で重複伝送が許容されるベアラに対応するビットを解析するステップと、
前記ビットの指示に基づき、対応ベアラの重複伝送を活性化／非活性化すると特定するステップと、
をさらに含む。
【００８９】
具体的に、端末は、ある基地局から送信された重複伝送活性化／非活性化ＭＡＣ  ＣＥを受信すると、基地局によって予め設定された当該基地局の重複伝送活性化／非活性化ＭＡＣ  ＣＥの所定フィールドのビットと当該基地局で重複伝送が許容されるベアラとの対応関係に基づき、当該基地局から送信された重複伝送活性化／非活性化ＭＡＣ  ＣＥの有効ビットを特定し、有効ビットを解析して最終的に対応ベアラの重複伝送の活性化／非活性化を実現する。
【００９０】
本開示の上記実施例は、具体的に下記３種類の基地局による重複伝送活性化／非活性化ＭＡＣ  ＣＥ伝送の実現方式を提供する。
【００９１】
方式１：
第１基地局の重複伝送活性化／非活性化ＭＡＣ  ＣＥの所定フィールドと、前記端末に接続された他基地局の重複伝送活性化／非活性化ＭＡＣ  ＣＥの所定フィールドとは、同じ構造を有し、
前記同じ構造を有する重複伝送活性化／非活性化ＭＡＣ  ＣＥの所定フィールドのビットは、前記端末で重複伝送が許容されるすべてのベアラとは対応関係が存在する。
【００９２】
第１基地局と他基地局がともに端末に接続され、すなわち端末に接続されたすべての基地局から当該端末に送信される重複伝送活性化／非活性化ＭＡＣ  ＣＥの所定フィールドの構造が同じであるため、当該重複伝送活性化／非活性化ＭＡＣ  ＣＥの所定フィールドのビットは、前記端末で重複伝送が許容されるすべてのベアラとは対応関係が存在する。端末で重複伝送が許容されるすべてのベアラは、第１基地局で重複伝送が許容されるベアラを含む。
【００９３】
たとえば、端末Ａがそれぞれ基地局Ｂ、基地局Ｃおよび基地局Ｄに接続されるとすると、端末Ａで重複伝送が許容されるすべてのベアラは、端末Ａと基地局Ｂとの間で重複伝送が許容されるベアラ、端末Ａと基地局Ｃとの間で重複伝送が許容されるベアラ、および端末Ａと基地局Ｄとの間で重複伝送が許容されるベアラを含む。
【００９４】
方式１で重複伝送活性化／非活性化ＭＡＣ  ＣＥの所定フィールドの設定は、基地局側の方法部分で詳細に記載しているため、ここでは繰り返して説明しない。上記の例を踏まえ、端末側のステップは、以下を含む。
【００９５】
基地局側から送信された重複伝送活性化／非活性化ＭＡＣ  ＣＥのうちのｂｉｔｍａｐの各ビットとＲＢとの対応関係の設定を受信して有効にする。たとえば、図５では、基地局１によって、当該ＭＡＣ  ＣＥのうちのｂｉｔｍａｐの前から３つのビットがＤＲＢ１、ＤＲＢ２、ＤＲＢ３に対応するように設定する。また、たとえば、図５は、基地局１によって、当該ＭＡＣ  ＣＥのうちのｂｉｔｍａｐの前から２つのビットがＤＲＢ１、ＤＲＢ２に対応するように設定し、基地局２によって、当該ＭＡＣ  ＣＥのうちのｂｉｔｍａｐの３つめのビットがＤＲＢ３に対応するように設定する。
【００９６】
基地局から送信された重複伝送活性化／非活性化ＭＡＣ  ＣＥを受信し、対応ビットの指示に基づき、対応ＲＢの重複伝送を活性化／非活性化する。基地局１から重複伝送活性化／非活性化ＭＡＣ  ＣＥが送信された場合、端末は、ＤＲＢ１、ＤＲＢ２に対応するビット（第１ビット、第２ビット）のみに基づき、ＤＲＢ１、ＤＲＢ２に対し重複伝送の活性化／非活性化を行い、当該ＭＡＣ  ＣＥのうちのｂｉｔｍａｐの３つめのビットを無視する。基地局２から重複伝送活性化／非活性化ＭＡＣ  ＣＥが送信された場合、端末は、ＤＲＢ２、ＤＲＢ３に対応するビット（第２ビット、第３ビット）のみに基づき、ＤＲＢ２、ＤＲＢ３に対し重複伝送の活性化／非活性化を行い、当該ＭＡＣ  ＣＥのうちのｂｉｔｍａｐの１つめのビットを無視する。
【００９７】
方式２：
第１基地局の重複伝送活性化／非活性化ＭＡＣ  ＣＥの所定フィールドと、前記端末に接続された他基地局の重複伝送活性化／非活性化ＭＡＣ  ＣＥの所定フィールドとは、互いに独立した構造を有し、
前記第１基地局の重複伝送活性化／非活性化ＭＡＣ  ＣＥの所定フィールドのビットは、前記第１基地局で重複伝送が許容されるベアラとは対応関係が存在し、
前記他基地局の重複伝送活性化／非活性化ＭＡＣ  ＣＥの所定フィールドのビットは、前記他基地局で重複伝送が許容されるベアラとは対応関係が存在する。
【００９８】
具体的に、異なる基地局では、それぞれ独立した重複伝送活性化／非活性化ＭＡＣ  ＣＥ設定が用いられ、すなわち、当該ＭＡＣ  ＣＥのうちのｂｉｔｍａｐのビットとＲＢとの対応関係は、各基地局で設定されたＲＢに応じてそれぞれ異なる。自基地局で無効であるＤＲＢは、重複伝送活性化／非活性化ＭＡＣ  ＣＥで指示されない。方式２で重複伝送活性化／非活性化ＭＡＣ  ＣＥの所定フィールドの設定は、基地局側の方法部分で詳細に記載しているため、ここでは繰り返して説明しない。上記の例を踏まえ、端末側のステップは、以下を含む。
【００９９】
基地局側から送信された重複伝送活性化／非活性化ＭＡＣ  ＣＥのうちのｂｉｔｍａｐの各ビットとＲＢとの対応関係の設定を受信して有効にする。たとえば、図６では、基地局１によって、基地局１と基地局２の重複伝送活性化／非活性化ＭＡＣ  ＣＥのうちのｂｉｔｍａｐとＲＢとの対応関係をそれぞれ設定し、基地局１の重複伝送活性化／非活性化ＭＡＣ  ＣＥのうちのｂｉｔｍａｐの前から２つのビットをＤＲＢ１、ＤＲＢ２に対応させ、基地局２の重複伝送活性化／非活性化ＭＡＣ  ＣＥのうちのｂｉｔｍａｐの前から２つのビットをＤＲＢ２、ＤＲＢ３に対応させる。また、たとえば、図６は、基地局１によって、基地局１の重複伝送活性化／非活性化ＭＡＣ  ＣＥを設定し、当該ＭＡＣ  ＣＥのうちのｂｉｔｍａｐの前から２つのビットをＤＲＢ１、ＤＲＢ２に対応させ、基地局２によって、基地局２の重複伝送活性化／非活性化ＭＡＣ  ＣＥを設定し、当該ＭＡＣ  ＣＥのうちのｂｉｔｍａｐの前から２つのビットをＤＲＢ２、ＤＲＢ３に対応させる。
【０１００】
基地局側から送信された重複伝送活性化／非活性化ＭＡＣ  ＣＥを受信し、対応ビットの指示に基づき、対応ＲＢの重複伝送を活性化／非活性化する。基地局１から重複伝送活性化／非活性化ＭＡＣ  ＣＥが送信された場合、端末は、ＤＲＢ１、ＤＲＢ２に対応するビット（第１ビット、第２ビット）の指示のみに基づき、ＤＲＢ１、ＤＲＢ２に対し重複伝送の活性化／非活性化を行う。基地局２から重複伝送活性化／非活性化ＭＡＣ  ＣＥが送信された場合、端末は、ＤＲＢ２、ＤＲＢ３に対応するビット（第１ビット、第２ビット）の指示のみに基づき、ＤＲＢ２、ＤＲＢ３に対し重複伝送の活性化／非活性化を行う。
【０１０１】
方式３：
第１基地局の重複伝送活性化／非活性化ＭＡＣ  ＣＥの所定フィールドと、前記端末に接続された他基地局の重複伝送活性化／非活性化ＭＡＣ  ＣＥの所定フィールドとは、互いに独立した構造を有し、
前記第１基地局の重複伝送活性化／非活性化ＭＡＣ  ＣＥの所定フィールドのビットは、第１基地局のみで重複伝送が許容されるベアラとは対応関係が存在し、
前記第１基地局の重複伝送活性化／非活性化ＭＡＣ  ＣＥの所定フィールドのビットは、第１基地局で重複伝送が許容される特定ベアラとは対応関係が存在し、
ここで、前記特定ベアラは、二重接続方式または多重接続方式で重複伝送を行い、かつ前記特定ベアラのマスタ基地局が前記第１基地局である。
具体的に、当該特定ベアラのＰＤＣＰ層が位置する基地局は、当該特定ベアラのマスタ基地局である。
【０１０２】
具体的に、異なる基地局では、それぞれ独立した重複伝送活性化／非活性化ＭＡＣ  ＣＥ設定が用いられ、すなわち、当該ＭＡＣ  ＣＥのうちのｂｉｔｍａｐの各ビットとＲＢとの対応関係は、各基地局で設定されたＲＢに応じてそれぞれ異なる。同時に、ＤＣまたはＭＣのＲＢ（２つ以上の基地局で伝送可能であって重複伝送が許容されるＲＢ）について、１つのマスタ基地局のみによって重複伝送活性化／非活性化の指示を行うことができる。
【０１０３】
方式３で重複伝送活性化／非活性化ＭＡＣ  ＣＥの所定フィールドの設定は、基地局側の方法部分で詳細に記載しているため、ここでは繰り返して説明しない。上記の例を踏まえ、端末側のステップは、以下を含む。
【０１０４】
ステップ１：基地局側から送信された重複伝送活性化／非活性化ＭＡＣ  ＣＥのうちのｂｉｔｍａｐの各ビットとＲＢとの対応関係の設定を受信して有効にする。たとえば、図７では、基地局１によって、基地局１と基地局２の重複伝送活性化／非活性化ＭＡＣ  ＣＥのうちのｂｉｔｍａｐとＲＢとの対応関係をそれぞれ設定し、基地局１の重複伝送活性化／非活性化ＭＡＣ  ＣＥのうちのｂｉｔｍａｐの前から２つのビットをＤＲＢ１、ＤＲＢ２に対応させ、基地局２の重複伝送活性化／非活性化ＭＡＣ  ＣＥのうちのｂｉｔｍａｐの１つめのビットをＤＲＢ３に対応させる。また、たとえば、図７は、基地局１によって、基地局１の重複伝送活性化／非活性化ＭＡＣ  ＣＥを設定し、当該ＭＡＣ  ＣＥのうちのｂｉｔｍａｐの前から２つのビットをＤＲＢ１、ＤＲＢ２に対応させ、基地局２によって、基地局２の重複伝送活性化／非活性化ＭＡＣ  ＣＥを設定し、当該ＭＡＣ  ＣＥのうちのｂｉｔｍａｐの１つめのビットをＤＲＢ３に対応させる。
【０１０５】
ステップ２：基地局側から送信された重複伝送活性化／非活性化ＭＡＣ  ＣＥを受信し、対応ビットの指示に基づき、対応ＲＢの重複伝送を活性化または非活性化する。基地局１から重複伝送活性化／非活性化ＭＡＣ  ＣＥが送信された場合、端末は、ＤＲＢ１、ＤＲＢ２に対応するビット（第１ビット、第２ビット）の指示のみに基づき、ＤＲＢ１、ＤＲＢ２に対し重複伝送の活性化または非活性化を行う。基地局２から重複伝送活性化／非活性化ＭＡＣ  ＣＥが送信された場合、端末は、ＤＲＢ３に対応するビット（第１ビット）の指示のみに基づき、ＤＲＢ３に対し重複伝送の活性化または非活性化を行う。
【０１０６】
つまり、本開示の上記実施例において、基地局は、重複伝送が許容されるベアラと、重複伝送活性化／非活性化ＭＡＣ  ＣＥの所定フィールドのビットとの対応関係を予め設定し、設定した対応関係を端末に送信する。端末は、重複伝送活性化／非活性化ＭＡＣ  ＣＥの送信元の基地局および予め設定された対応関係に基づき、対応するベアラの重複伝送を活性化／非活性化する。よって、端末は、複数の基地局に接続される場合、異なる種類のベアラに対する重複伝送活性化／非活性化を正しく受信して実現することができる。よって、重複伝送が効果的に実現され、ネットワーク側と端末側の誤解による誤作動の問題が避けられる。
【０１０７】
図９に示すように、本開示の実施例は、トランシーバ９２０と、メモリ９１０と、プロセッサ９００と、前記メモリ９１０に記憶されて前記プロセッサ９００で実行可能なコンピュータプログラムを含む基地局をさらに提供する。
前記プロセッサ９００は、メモリ９１０からプログラムを読み取ることによって、
第１基地局で重複伝送が許容されるベアラと、前記第１基地局の重複伝送活性化／非活性化ＭＡＣ  ＣＥの所定フィールドであって、重複伝送が許容されるベアラに対し重複伝送活性化／非活性化指示を行うための所定フィールドのビットとの対応関係を特定する手順と、
第１基地局で重複伝送が許容されるベアラの重複伝送の活性化／非活性化が必要となると、前記第１基地局が、重複伝送活性化／非活性化ＭＡＣ  ＣＥの所定フィールドのうち、前記ベアラに対応するビットに対し充填設定を行い、前記重複伝送活性化／非活性化ＭＡＣ  ＣＥを生成する手順と、を実行することに用いられ、
前記トランシーバ９２０は、
生成された前記重複伝送活性化／非活性化ＭＡＣ  ＣＥを端末に送信することに用いられる。
【０１０８】
選択可能に、前記プロセッサ９００は、さらに、
第１基地局の重複伝送活性化／非活性化ＭＡＣ  ＣＥの所定フィールドのビットと、前記第１基地局で重複伝送が許容されるベアラとの対応関係を設定する手順を実行することに用いられ、
前記トランシーバ９２０は、さらに、
設定された対応関係を前記端末に送信することに用いられる。
【０１０９】
選択可能に、前記プロセッサ９００は、さらに、
端末に接続された他基地局の重複伝送活性化／非活性化ＭＡＣ  ＣＥの所定フィールドのビットと、前記他基地局で重複伝送が許容されるベアラとの対応関係を設定する手順を実行することに用いられ、
前記トランシーバ９２０は、さらに、
当該設定された対応関係を端末に送信し、および／または、当該設定された対応関係を対応基地局に送信することに用いられる。
【０１１０】
選択可能に、第１基地局の重複伝送活性化／非活性化ＭＡＣ  ＣＥの所定フィールドと、前記端末に接続された他基地局の重複伝送活性化／非活性化ＭＡＣ  ＣＥの所定フィールドとは、同じ構造を有し、
前記同じ構造を有する重複伝送活性化／非活性化ＭＡＣ  ＣＥの所定フィールドのビットは、前記端末で重複伝送が許容されるすべてのベアラとは対応関係が存在する。
【０１１１】
選択可能に、第１基地局の重複伝送活性化／非活性化ＭＡＣ  ＣＥの所定フィールドと、前記端末に接続された他基地局の重複伝送活性化／非活性化ＭＡＣ  ＣＥの所定フィールドとは、互いに独立した構造を有し、
前記第１基地局の重複伝送活性化／非活性化ＭＡＣ  ＣＥの所定フィールドのビットは、前記第１基地局で重複伝送が許容されるベアラとは対応関係が存在し、
前記他基地局の重複伝送活性化／非活性化ＭＡＣ  ＣＥの所定フィールドのビットは、前記他基地局で重複伝送が許容されるベアラとは対応関係が存在する。
【０１１２】
選択可能に、第１基地局の重複伝送活性化／非活性化ＭＡＣ  ＣＥの所定フィールドと、前記端末に接続された他基地局の重複伝送活性化／非活性化ＭＡＣ  ＣＥの所定フィールドとは、互いに独立した構造を有し、
前記第１基地局の重複伝送活性化／非活性化ＭＡＣ  ＣＥの所定フィールドのビットは、第１基地局のみで重複伝送が許容されるベアラとは対応関係が存在し、
前記第１基地局の重複伝送活性化／非活性化ＭＡＣ  ＣＥの所定フィールドのビットは、第１基地局で重複伝送が許容される特定ベアラとは対応関係が存在し、
ここで、前記特定ベアラは、二重接続方式または多重接続方式で重複伝送を行い、かつ前記特定ベアラのマスタ基地局が前記第１基地局である。
【０１１３】
つまり、本開示の上記実施例による基地局は、重複伝送が許容されるベアラと、重複伝送活性化／非活性化ＭＡＣ  ＣＥの所定フィールドのビットとの対応関係を予め設定し、設定した対応関係を端末に送信し、かつ、自基地局で重複伝送が許容されるベアラの重複伝送のみに対し活性化／非活性化指示を行う。よって、端末は、複数の基地局に接続される場合、異なる種類のベアラの重複伝送活性化／非活性化を正しく受信して実現することができる。よって、重複伝送が効果的に実現され、ネットワーク側と端末側の誤解による誤作動の問題が避けられる。
【０１１４】
なお、本開示の実施例による基地局は、上記重複伝送活性化／非活性化方法を実行可能な基地局であり、上記重複伝送活性化／非活性化方法のすべての実施例が当該基地局に応用可能であり、同一または類似する効果を奏することもできる。
【０１１５】
本開示の実施例は、コンピュータプログラムが記憶されているコンピュータ読み取り可能な記憶媒体をさらに提供する。前記コンピュータプログラムがプロセッサによって実行されると、以上記載した重複伝送活性化／非活性化方法の実施例における各手順が実現され、かつ同一の技術効果を奏することができる。重複を避けるために、ここでは繰り返して記載しない。ここで、前記コンピュータ読み取り可能な記憶媒体は、たとえばＲＯＭ（Ｒｅａｄ−Ｏｎｌｙ  Ｍｅｍｏｒｙ）、ＲＡＭ（Ｒａｎｄｏｍ  Ａｃｃｅｓｓ  Ｍｅｍｏｒｙ）、磁気ディスクまたは光ディスクである。
【０１１６】
図１０に示すように、本開示の実施例は、端末に接続された第１基地局に応用される重複伝送活性化／非活性化装置をさらに提供する。
前記装置は、
第１基地局で重複伝送が許容されるベアラと、重複伝送が許容されるベアラに対し重複伝送活性化／非活性化指示を行うための所定フィールドであって、前記第１基地局の重複伝送活性化／非活性化ＭＡＣ  ＣＥの所定フィールドのビットとの対応関係を特定するための第１関係特定モジュール１０１と、
第１基地局で重複伝送が許容されるベアラの重複伝送の活性化／非活性化が必要となると、前記第１基地局が、重複伝送活性化／非活性化ＭＡＣ  ＣＥの所定フィールドのうち、前記ベアラに対応するビットに対し充填設定を行い、前記重複伝送活性化／非活性化ＭＡＣ  ＣＥを生成して前記端末に送信するための生成送信モジュール１０２と、
を含む。
【０１１７】
選択可能に、第１関係特定モジュール１０１は、
第１基地局の重複伝送活性化／非活性化ＭＡＣ  ＣＥの所定フィールドのビットと、前記第１基地局で重複伝送が許容されるベアラとの対応関係を設定するための第１関係特定サブモジュールと、
設定された対応関係を前記端末に送信するための第１送信サブモジュールとを含む。
【０１１８】
選択可能に、前記装置は、
前記第１基地局が、端末に接続された他基地局の重複伝送活性化／非活性化ＭＡＣ  ＣＥの所定フィールドのビットと、前記他基地局で重複伝送が許容されるベアラとの対応関係を設定するための第１関係設定モジュールと、
当該設定された対応関係を端末に送信するための第１送信モジュール、および／または、当該設定された対応関係を対応基地局に送信するための第２送信モジュールと、
をさらに含む。
【０１１９】
選択可能に、第１基地局の重複伝送活性化／非活性化ＭＡＣ  ＣＥの所定フィールドと、前記端末に接続された他基地局の重複伝送活性化／非活性化ＭＡＣ  ＣＥの所定フィールドとは、同じ構造を有し、
前記同じ構造を有する重複伝送活性化／非活性化ＭＡＣ  ＣＥの所定フィールドのビットは、前記端末で重複伝送が許容されるすべてのベアラとは対応関係が存在する。
【０１２０】
選択可能に、第１基地局の重複伝送活性化／非活性化ＭＡＣ  ＣＥの所定フィールドと、前記端末に接続された他基地局の重複伝送活性化／非活性化ＭＡＣ  ＣＥの所定フィールドとは、互いに独立した構造を有し、
前記第１基地局の重複伝送活性化／非活性化ＭＡＣ  ＣＥの所定フィールドのビットは、前記第１基地局で重複伝送が許容されるベアラとは対応関係が存在し、
前記他基地局の重複伝送活性化／非活性化ＭＡＣ  ＣＥの所定フィールドのビットは、前記他基地局で重複伝送が許容されるベアラとは対応関係が存在する。
【０１２１】
選択可能に、第１基地局の重複伝送活性化／非活性化ＭＡＣ  ＣＥの所定フィールドと、前記端末に接続された他基地局の重複伝送活性化／非活性化ＭＡＣ  ＣＥの所定フィールドとは、互いに独立した構造を有し、
前記第１基地局の重複伝送活性化／非活性化ＭＡＣ  ＣＥの所定フィールドのビットは、第１基地局のみで重複伝送が許容されるベアラとは対応関係が存在し、
前記第１基地局の重複伝送活性化／非活性化ＭＡＣ  ＣＥの所定フィールドのビットは、第１基地局で重複伝送が許容される特定ベアラとは対応関係が存在し、
ここで、前記特定ベアラは、二重接続方式または多重接続方式で重複伝送を行い、かつ前記特定ベアラのマスタ基地局が前記第１基地局である。
【０１２２】
つまり、本開示の上記実施例による重複伝送活性化／非活性化装置において、基地局は、重複伝送が許容されるベアラと、重複伝送活性化／非活性化ＭＡＣ  ＣＥの所定フィールドのビットとの対応関係を予め設定し、設定した対応関係を端末に送信し、かつ、自基地局で重複伝送が許容されるベアラの重複伝送のみに対し活性化／非活性化指示を行う。よって、端末は、複数の基地局に接続される場合、異なる種類のベアラに対する重複伝送活性化／非活性化を正しく受信して実現することができる。よって、重複伝送が効果的に実現され、ネットワーク側と端末側の誤解による誤作動の問題が避けられる。
【０１２３】
なお、本開示の実施例による重複伝送活性化／非活性化装置は、上記重複伝送活性化／非活性化方法を実行可能な重複伝送活性化／非活性化装置であり、上記重複伝送活性化／非活性化方法のすべての実施例が当該重複伝送の活性化／非活性化装置に応用可能であり、同一または類似する効果を奏することもできる。
【０１２４】
図１１に示すように、本開示の実施例は、トランシーバ１１２０と、メモリ１１１０と、プロセッサ１１００と、前記メモリ１１１０に記憶されて前記プロセッサ１１００で実行可能なコンピュータプログラムを含む端末をさらに提供する。前記端末は、ユーザインタフェース１１３０をさらに含む。
前記プロセッサ１１００は、メモリ１１１０からプログラムを読み取ることによって、
第１基地局で重複伝送が許容されるベアラと、重複伝送が許容されるベアラに対し重複伝送活性化／非活性化指示を行うための所定フィールドであって、前記第１基地局の重複伝送活性化／非活性化ＭＡＣ  ＣＥの所定フィールドのビットとの対応関係を特定する手順を実行することに用いられる。
前記トランシーバ１１２０は、第１基地局から送信された重複伝送活性化／非活性化ＭＡＣ  ＣＥを受信することに用いられる。
前記プロセッサ１１００は、さらに、
前記対応関係に基づき、前記第１基地局の重複伝送活性化／非活性化ＭＡＣ  ＣＥの所定フィールドのうち、第１基地局で重複伝送が許容されるベアラに対応するビットを解析する手順と、
前記ビットの指示に基づき、対応ベアラの重複伝送を活性化／非活性化すると特定する手順と、
を実行することに用いられる。
【０１２５】
選択可能に、前記トランシーバ１１２０は、さらに、
第１基地局によって設定された対応関係であって、第１基地局の重複伝送活性化／非活性化ＭＡＣ  ＣＥの所定フィールドのビットと、前記第１基地局で重複伝送が許容されるベアラとの対応関係を受信することに用いられる。
【０１２６】
選択可能に、前記トランシーバ１１２０は、さらに、
第１基地局によって設定された対応関係であって、端末に接続された他基地局の重複伝送活性化／非活性化ＭＡＣ  ＣＥの所定フィールドのビットと、前記他基地局で重複伝送が許容されるベアラとの対応関係を受信することに用いられる。
【０１２７】
選択可能に、前記トランシーバ１１２０は、さらに、
他基地局から送信された重複伝送活性化／非活性化ＭＡＣ  ＣＥを受信することに用いられ、
前記プロセッサ１１００は、さらに、
前記対応関係に基づき、前記他基地局の重複伝送活性化／非活性化ＭＡＣ  ＣＥの所定フィールドのうち、前記他基地局で重複伝送が許容されるベアラに対応するビットを解析する手順と、
前記ビットの指示に基づき、対応ベアラの重複伝送を活性化／非活性化すると特定する手順と、
を実行することに用いられる。
【０１２８】
選択可能に、第１基地局の重複伝送活性化／非活性化ＭＡＣ  ＣＥの所定フィールドと、前記端末に接続された他基地局の重複伝送活性化／非活性化ＭＡＣ  ＣＥの所定フィールドとは、同じ構造を有し、
前記同じ構造を有する重複伝送活性化／非活性化ＭＡＣ  ＣＥの所定フィールドのビットは、前記端末で重複伝送が許容されるすべてのベアラとは対応関係が存在する。
【０１２９】
選択可能に、第１基地局の重複伝送活性化／非活性化ＭＡＣ  ＣＥの所定フィールドと、前記端末に接続された他基地局の重複伝送活性化／非活性化ＭＡＣ  ＣＥの所定フィールドとは、互いに独立した構造を有し、
前記第１基地局の重複伝送活性化／非活性化ＭＡＣ  ＣＥの所定フィールドのビットは、前記第１基地局で重複伝送が許容されるベアラとは対応関係が存在し、
前記他基地局の重複伝送活性化／非活性化ＭＡＣ  ＣＥの所定フィールドのビットは、前記他基地局で重複伝送が許容されるベアラとは対応関係が存在する。
【０１３０】
選択可能に、第１基地局の重複伝送活性化／非活性化ＭＡＣ  ＣＥの所定フィールドと、前記端末に接続された他基地局の重複伝送活性化／非活性化ＭＡＣ  ＣＥの所定フィールドとは、互いに独立した構造を有し、
前記第１基地局の重複伝送活性化／非活性化ＭＡＣ  ＣＥの所定フィールドのビットは、第１基地局のみで重複伝送が許容されるベアラとは対応関係が存在し、
前記第１基地局の重複伝送活性化／非活性化ＭＡＣ  ＣＥの所定フィールドのビットは、第１基地局で重複伝送が許容される特定ベアラとは対応関係が存在し、
ここで、前記特定ベアラは、二重接続方式または多重接続方式で重複伝送を行い、かつ前記特定ベアラのマスタ基地局が前記第１基地局である。
【０１３１】
つまり、本開示の上記実施例において、基地局は、重複伝送が許容されるベアラと、重複伝送活性化／非活性化ＭＡＣ  ＣＥの所定フィールドのビットとの対応関係を予め設定し、設定した対応関係を端末に送信する。端末は、重複伝送活性化／非活性化ＭＡＣ  ＣＥの送信元の基地局および予め設定された対応関係に基づき、対応するベアラの重複伝送を活性化／非活性化する。よって、端末は、複数の基地局に接続される場合、異なる種類のベアラに対する重複伝送活性化／非活性化を正しく受信して実現することができる。よって、重複伝送が効果的に実現され、ネットワーク側と端末側の誤解による誤作動の問題が避けられる。
【０１３２】
なお、本開示の実施例による端末は、上記重複伝送活性化／非活性化方法を実行可能な端末であり、上記重複伝送活性化／非活性化方法のすべての実施例が当該端末に応用可能であり、同一または類似する効果を奏することもできる。
【０１３３】
本開示の実施例は、コンピュータプログラムが記憶されているコンピュータ読み取り可能な記憶媒体をさらに提供する。前記コンピュータプログラムがプロセッサによって実行されると、以上記載した重複伝送活性化／非活性化方法の実施例における各手順が実現され、かつ同一の技術効果を奏することができる。重複を避けるために、ここでは繰り返して記載しない。ここで、前記コンピュータ読み取り可能な記憶媒体は、たとえばＲＯＭ（Ｒｅａｄ−Ｏｎｌｙ  Ｍｅｍｏｒｙ）、ＲＡＭ（Ｒａｎｄｏｍ  Ａｃｃｅｓｓ  Ｍｅｍｏｒｙ）、磁気ディスクまたは光ディスクである。
【０１３４】
図１２に示すように、本開示の実施例は、複数の基地局に接続された端末に応用される重複伝送活性化／非活性化装置をさらに提供する。
前記装置において、
第１基地局で重複伝送が許容されるベアラと、重複伝送が許容されるベアラに対し重複伝送活性化／非活性化指示を行うための所定フィールドであって、前記第１基地局の重複伝送活性化／非活性化ＭＡＣ  ＣＥの所定フィールドのビットとの対応関係を特定するための第２関係特定モジュール１２０１と、
第１基地局から送信された重複伝送活性化／非活性化ＭＡＣ  ＣＥを受信すると、前記対応関係に基づき、前記第１基地局の重複伝送活性化／非活性化ＭＡＣ  ＣＥの所定フィールドのうち、第１基地局で重複伝送が許容されるベアラに対応するビットを解析するための第１解析モジュール１２０２と、
前記ビットの指示に基づき、対応ベアラの重複伝送を活性化／非活性化すると特定するための第１処理モジュール１２０３と、
を含む。
【０１３５】
選択可能に、第２関係特定モジュールは、
第１基地局によって設定された対応関係であって、第１基地局の重複伝送活性化／非活性化ＭＡＣ  ＣＥの所定フィールドのビットと、前記第１基地局で重複伝送が許容されるベアラとの対応関係を受信するための第２関係特定サブモジュールを含む。
【０１３６】
選択可能に、前記装置において、
第１基地局によって設定された対応関係であって、端末に接続された他基地局の重複伝送活性化／非活性化ＭＡＣ  ＣＥの所定フィールドのビットと、前記他基地局で重複伝送が許容されるベアラとの対応関係を受信するための設定受信モジュールをさらに含む。
【０１３７】
選択可能に、前記装置において、
他基地局から送信された重複伝送活性化／非活性化ＭＡＣ  ＣＥを受信すると、前記対応関係に基づき、前記他基地局の重複伝送活性化／非活性化ＭＡＣ  ＣＥの所定フィールドのうち、前記他基地局で重複伝送が許容されるベアラに対応するビットを解析するための第２解析モジュールと、
前記ビットの指示に基づき、対応ベアラの重複伝送を活性化／非活性化すると特定するための第２処理モジュールと、
をさらに含む。
【０１３８】
選択可能に、第１基地局の重複伝送活性化／非活性化ＭＡＣ  ＣＥの所定フィールドと、前記端末に接続された他基地局の重複伝送活性化／非活性化ＭＡＣ  ＣＥの所定フィールドとは、同じ構造を有し、
前記同じ構造を有する重複伝送活性化／非活性化ＭＡＣ  ＣＥの所定フィールドのビットは、前記端末で重複伝送が許容されるすべてのベアラとは対応関係が存在する。
【０１３９】
選択可能に、第１基地局の重複伝送活性化／非活性化ＭＡＣ  ＣＥの所定フィールドと、前記端末に接続された他基地局の重複伝送活性化／非活性化ＭＡＣ  ＣＥの所定フィールドとは、互いに独立した構造を有し、
前記第１基地局の重複伝送活性化／非活性化ＭＡＣ  ＣＥの所定フィールドのビットは、前記第１基地局で重複伝送が許容されるベアラとは対応関係が存在し、
前記他基地局の重複伝送活性化／非活性化ＭＡＣ  ＣＥの所定フィールドのビットは、前記他基地局で重複伝送が許容されるベアラとは対応関係が存在する。
【０１４０】
選択可能に、第１基地局の重複伝送活性化／非活性化ＭＡＣ  ＣＥの所定フィールドと、前記端末に接続された他基地局の重複伝送活性化／非活性化ＭＡＣ  ＣＥの所定フィールドとは、互いに独立した構造を有し、
前記第１基地局の重複伝送活性化／非活性化ＭＡＣ  ＣＥの所定フィールドのビットは、第１基地局のみで重複伝送が許容されるベアラとは対応関係が存在し、
前記第１基地局の重複伝送活性化／非活性化ＭＡＣ  ＣＥの所定フィールドのビットは、第１基地局で重複伝送が許容される特定ベアラとは対応関係が存在し、
ここで、前記特定ベアラは、二重接続方式または多重接続方式で重複伝送を行い、かつ前記特定ベアラのマスタ基地局が前記第１基地局である。
【０１４１】
つまり、本開示の上記実施例において、基地局は、重複伝送が許容されるベアラと、重複伝送活性化／非活性化ＭＡＣ  ＣＥの所定フィールドのビットとの対応関係を予め設定し、設定した対応関係を端末に送信する。端末は、重複伝送活性化／非活性化ＭＡＣ  ＣＥの送信元の基地局および予め設定された対応関係に基づき、対応するベアラの重複伝送を活性化／非活性化する。よって、端末は、複数の基地局に接続される場合、異なる種類のベアラに対する重複伝送活性化／非活性化を正しく受信して実現することができる。よって、重複伝送が効果的に実現され、ネットワーク側と端末側の誤解による誤作動の問題が避けられる。
【０１４２】
なお、本開示の実施例による重複伝送活性化／非活性化装置は、上記重複伝送活性化／非活性化方法を実行可能な重複伝送活性化／非活性化装置であり、上記重複伝送活性化／非活性化方法のすべての実施例が当該重複伝送活性化／非活性化装置に応用可能であり、同一または類似する効果を奏することもできる。
【０１４３】
本願の実施例は、方法、システム、又はコンピュータプログラムプロダクトとして提供されうると当業者が理解できる。従って、本願は、完全にハードウェアの実施例、完全にソフトウェアの実施例、又はソフトウェアとハードウェアを組み合わせた実施例の形態を取り得る。しかも、本願は、コンピュータ利用可能なプログラムコードを含む１つ又は複数のコンピュータ利用可能な記憶媒体（磁気ディスクメモリ、光学メモリなどを含むが、それらに限らない）で実施されるコンピュータプログラムプロダクトの形態を取り得る。
【０１４４】
本願は、本願の実施例による方法、デバイス（システム）及びコンピュータプログラムプロダクトのフローチャート及び／又はブロック図を参照にして記載されている。フローチャート及び／又はブロック図における各フロー及び／又はブロック、及びフローチャート及び／又はブロック図におけるフロー及び／又はブロックの組み合わせは、コンピュータプログラムコマンドにより実現されうると理解されるべきである。これらのコンピュータプログラムコマンドを汎用コンピュータ、専用コンピュータ、嵌め込み式プロセッサ又は他のプログラマブルデータ処理デバイスのプロセッサに提供して１つの機器を形成し、コンピュータ又は他のプログラマブルデータ処理デバイスのプロセッサにより実行される指令により、フローチャートの１つ又は複数のフロー及び／又はブロック図の１つ又は複数のブロックで指定される機能を実現するための装置を形成する。
【０１４５】
これらのコンピュータプログラムコマンドは、コンピュータ又は他のプログラマブルデータ処理デバイスに特定の方式で動作させるを導けるコンピュータ読み出し可能なメモリに格納されてもよく、当該コンピュータ読み出し可能なメモリに格納されるコマンドにより、コマンド装置を含むプロダクトを形成する。当該コマンド装置は、フローチャートの１つ又は複数のフロー及び／又はブロック図の１つ又は複数のブロックで指定される機能を実現する。
【０１４６】
これらのコンピュータプログラムコマンドは、コンピュータ又は他のプログラマブルデータ処理デバイスにロードされてもよく、コンピュータ又は他のプログラマブルデータ処理デバイスで一連の操作工程を実行することにより、コンピュータで実現される処理を形成し、コンピュータ又は他のプログラマブルデータ処理デバイスで実行されるコマンドにより、フローチャートの１つ又は複数のフロー及び／又はブロック図の１つ又は複数のブロックで指定される機能を実現するためのステップを提供する。
【０１４７】
以上、本開示の選択可能な実施形態を記載した。なお、当業者は、本開示に記載されている原理を逸脱せずに様々な改良や修飾をすることもできる。これらの改良や修飾も、本開示の保護範囲として見なされるべきである。
【図１】
2020532228.tif 000003
【図２】
2020532228.tif 000004
【図３】
2020532228.tif 000005
【図４】
2020532228.tif 000006
【図５】
2020532228.tif 000007
【図６】
2020532228.tif 000008
【図７】
2020532228.tif 000009
【図８】
2020532228.tif 000010
【図９】
2020532228.tif 000011
【図１０】
2020532228.tif 000012
【図１１】
2020532228.tif 000013
【図１２】
2020532228.tif 000014
【手続補正書】
【提出日】令和2年3月3日(2020.3.3)
【手続補正１】
【補正対象書類名】特許請求の範囲
【補正対象項目名】全文
【補正方法】変更
【補正の内容】
【特許請求の範囲】
【請求項１】
端末に接続された第１基地局に応用される重複伝送活性化／非活性化方法において、
第１基地局で重複伝送が許容されるベアラと、重複伝送が許容されるベアラに対し重複伝送活性化／非活性化指示を行うための所定フィールドであって、前記第１基地局の重複伝送活性化／非活性化メディアアクセス制御層制御メッセージ（ＭＡＣ  ＣＥ）の所定フィールドのビットとの対応関係を特定するステップと、
第１基地局で重複伝送が許容されるベアラの重複伝送の活性化／非活性化が必要となると、前記第１基地局が、重複伝送活性化／非活性化ＭＡＣ  ＣＥの所定フィールドのうち、前記ベアラに対応するビットに対し充填設定を行い、前記重複伝送活性化／非活性化ＭＡＣ  ＣＥを生成して前記端末に送信するステップと、
を含む、重複伝送活性化／非活性化方法。
【請求項２】
前記の第１基地局で重複伝送が許容されるベアラと、前記第１基地局の重複伝送活性化／非活性化ＭＡＣ  ＣＥの所定フィールドのビットとの対応関係を特定するステップは、
前記第１基地局が、第１基地局の重複伝送活性化／非活性化ＭＡＣ  ＣＥの所定フィールドのビットと、前記第１基地局で重複伝送が許容されるベアラとの対応関係を設定するステップと、
前記第１基地局が、設定した対応関係を前記端末に送信するステップと、
を含む、請求項１に記載の方法。
【請求項３】
前記第１基地局が、端末に接続された他基地局の重複伝送活性化／非活性化ＭＡＣ  ＣＥの所定フィールドのビットと、前記他基地局で重複伝送が許容されるベアラとの対応関係を設定するステップと、
前記第１基地局が、当該設定した対応関係を端末に送信するステップ、および／または、前記第１基地局が、当該設定した対応関係を対応基地局に送信するステップと、
をさらに含む請求項１または２に記載の方法。
【請求項４】
第１基地局の重複伝送活性化／非活性化ＭＡＣ  ＣＥの所定フィールドと、前記端末に接続された他基地局の重複伝送活性化／非活性化ＭＡＣ  ＣＥの所定フィールドとは、同じ構造を有し、
前記同じ構造を有する重複伝送活性化／非活性化ＭＡＣ  ＣＥの所定フィールドのビットは、前記端末で重複伝送が許容されるすべてのベアラとは対応関係が存在する、請求項１に記載の方法。
【請求項５】
第１基地局の重複伝送活性化／非活性化ＭＡＣ  ＣＥの所定フィールドと、前記端末に接続された他基地局の重複伝送活性化／非活性化ＭＡＣ  ＣＥの所定フィールドとは、互いに独立した構造を有し、
前記第１基地局の重複伝送活性化／非活性化ＭＡＣ  ＣＥの所定フィールドのビットは、前記第１基地局で重複伝送が許容されるベアラとは対応関係が存在し、
前記他基地局の重複伝送活性化／非活性化ＭＡＣ  ＣＥの所定フィールドのビットは、前記他基地局で重複伝送が許容されるベアラとは対応関係が存在する、請求項１に記載の方法。
【請求項６】
第１基地局の重複伝送活性化／非活性化ＭＡＣ  ＣＥの所定フィールドと、前記端末に接続された他基地局の重複伝送活性化／非活性化ＭＡＣ  ＣＥの所定フィールドとは、互いに独立した構造を有し、
前記第１基地局の重複伝送活性化／非活性化ＭＡＣ  ＣＥの所定フィールドのビットは、第１基地局のみで重複伝送が許容されるベアラとは対応関係が存在し、
前記第１基地局の重複伝送活性化／非活性化ＭＡＣ  ＣＥの所定フィールドのビットは、第１基地局で重複伝送が許容される特定ベアラとは対応関係が存在し、
ここで、前記特定ベアラは、二重接続方式または多重接続方式で重複伝送を行い、かつ前記特定ベアラのマスタ基地局が前記第１基地局である、請求項１に記載の方法。
【請求項７】
複数の基地局に接続された端末に応用される重複伝送活性化／非活性化方法において、
第１基地局で重複伝送が許容されるベアラと、重複伝送が許容されるベアラに対し重複伝送活性化／非活性化指示を行うための所定フィールドであって、前記第１基地局の重複伝送活性化／非活性化ＭＡＣ  ＣＥの所定フィールドのビットとの対応関係を特定するステップと、
第１基地局から送信された重複伝送活性化／非活性化ＭＡＣ  ＣＥを受信すると、前記対応関係に基づき、前記第１基地局の重複伝送活性化／非活性化ＭＡＣ  ＣＥの所定フィールドのうち、第１基地局で重複伝送が許容されるベアラに対応するビットを解析するステップと、
前記ビットの指示に基づき、対応ベアラの重複伝送を活性化／非活性化すると特定するステップと、
を含む、重複伝送活性化／非活性化方法。
【請求項８】
前記の第１基地局で重複伝送が許容されるベアラと、前記第１基地局の重複伝送活性化／非活性化ＭＡＣ  ＣＥの所定フィールドのビットとの対応関係を特定するステップは、
第１基地局によって設定された対応関係であって、第１基地局の重複伝送活性化／非活性化ＭＡＣ  ＣＥの所定フィールドのビットと、前記第１基地局で重複伝送が許容されるベアラとの対応関係を受信するステップを含む、請求項７に記載の方法。
【請求項９】
第１基地局によって設定された対応関係であって、端末に接続された他基地局の重複伝送活性化／非活性化ＭＡＣ  ＣＥの所定フィールドのビットと、前記他基地局で重複伝送が許容されるベアラとの対応関係を受信するステップをさらに含む請求項７または８に記載の方法。
【請求項１０】
他基地局から送信された重複伝送活性化／非活性化ＭＡＣ  ＣＥを受信すると、前記対応関係に基づき、前記他基地局の重複伝送活性化／非活性化ＭＡＣ  ＣＥの所定フィールドのうち、前記他基地局で重複伝送が許容されるベアラに対応するビットを解析するステップと、
前記ビットの指示に基づき、対応ベアラの重複伝送を活性化／非活性化すると特定するステップと、
をさらに含む、請求項９に記載の方法。
【請求項１１】
第１基地局の重複伝送活性化／非活性化ＭＡＣ  ＣＥの所定フィールドと、前記端末に接続された他基地局の重複伝送活性化／非活性化ＭＡＣ  ＣＥの所定フィールドとは、同じ構造を有し、
前記同じ構造を有する重複伝送活性化／非活性化ＭＡＣ  ＣＥの所定フィールドのビットは、前記端末で重複伝送が許容されるすべてのベアラとは対応関係が存在する、請求項７に記載の方法。
【請求項１２】
第１基地局の重複伝送活性化／非活性化ＭＡＣ  ＣＥの所定フィールドと、前記端末に接続された他基地局の重複伝送活性化／非活性化ＭＡＣ  ＣＥの所定フィールドとは、互いに独立した構造を有し、
前記第１基地局の重複伝送活性化／非活性化ＭＡＣ  ＣＥの所定フィールドのビットは、前記第１基地局で重複伝送が許容されるベアラとは対応関係が存在し、
前記他基地局の重複伝送活性化／非活性化ＭＡＣ  ＣＥの所定フィールドのビットは、前記他基地局で重複伝送が許容されるベアラとは対応関係が存在する、請求項７に記載の方法。
【請求項１３】
第１基地局の重複伝送活性化／非活性化ＭＡＣ  ＣＥの所定フィールドと、前記端末に接続された他基地局の重複伝送活性化／非活性化ＭＡＣ  ＣＥの所定フィールドとは、互いに独立した構造を有し、
前記第１基地局の重複伝送活性化／非活性化ＭＡＣ  ＣＥの所定フィールドのビットは、第１基地局のみで重複伝送が許容されるベアラとは対応関係が存在し、
前記第１基地局の重複伝送活性化／非活性化ＭＡＣ  ＣＥの所定フィールドのビットは、第１基地局で重複伝送が許容される特定ベアラとは対応関係が存在し、
ここで、前記特定ベアラは、二重接続方式または多重接続方式で重複伝送を行い、かつ前記特定ベアラのマスタ基地局が前記第１基地局である、請求項７に記載の方法。
【請求項１４】
トランシーバと、メモリと、プロセッサと、前記メモリに記憶されて前記プロセッサで実行可能なコンピュータプログラムを含む基地局において、
前記プロセッサは、メモリからプログラムを読み取ることによって、
第１基地局で重複伝送が許容されるベアラと、重複伝送が許容されるベアラに対し重複伝送活性化／非活性化指示を行うための所定フィールドであって、前記第１基地局の重複伝送活性化／非活性化ＭＡＣ  ＣＥの所定フィールドのビットとの対応関係を特定する手順と、
第１基地局で重複伝送が許容されるベアラの重複伝送の活性化／非活性化が必要となると、前記第１基地局が、重複伝送活性化／非活性化ＭＡＣ  ＣＥの所定フィールドのうち、前記ベアラに対応するビットに対し充填設定を行い、前記重複伝送活性化／非活性化ＭＡＣ  ＣＥを生成する手順と、
を実行することに用いられ、
前記トランシーバは、
生成された前記重複伝送活性化／非活性化ＭＡＣ  ＣＥを端末に送信することに用いられる、基地局。
【請求項１５】
トランシーバと、メモリと、プロセッサと、前記メモリに記憶されて前記プロセッサで実行可能なコンピュータプログラムを含む端末において、
前記プロセッサは、メモリからプログラムを読み取ることによって、
第１基地局で重複伝送が許容されるベアラと、重複伝送が許容されるベアラに対し重複伝送活性化／非活性化指示を行うための所定フィールドであって、前記第１基地局の重複伝送活性化／非活性化ＭＡＣ  ＣＥの所定フィールドのビットとの対応関係を特定する手順を実行することに用いられ、
前記トランシーバは、
第１基地局から送信された重複伝送活性化／非活性化ＭＡＣ  ＣＥを受信することに用いられ、
前記プロセッサは、さらに、
前記対応関係に基づき、前記第１基地局の重複伝送活性化／非活性化ＭＡＣ  ＣＥの所定フィールドのうち、第１基地局で重複伝送が許容されるベアラに対応するビットを解析する手順と、
前記ビットの指示に基づき、対応ベアラの重複伝送を活性化／非活性化すると特定する手順と、
を実行することに用いられる、端末。
【国際調査報告】
2020532228.tif 000015
2020532228.tif 000016
2020532228.tif 000017
2020532228.tif 000018